(57)【要約】【課題】  この発明は、種々の幅の陳列棚に容易に対応できる照明装置を提供する。【解決手段】  この発明は、複数の発光素子を備え、棚板の下面又は下部に取り付けられる陳列棚の照明装置Ｌにおいて、前記照明装置は、本体カバー１と、本体カバー１内に収容され複数の発光素子を保持するベースフレーム２と、本体カバー１端部とベースフレーム２との間のスペースＳに挿入されるスペーサ部材４と、スペーサ部材４を介して本体カバー１に取り付けられる本体エンド５とを備え、スペーサ部材４は、本体部と、この本体部の両側部に本体部と直交する方向に延在して突出片４１とを有し、突出片４１は本体カバー１とベースフレーム２との間のスペースＳに対応する長さに調整されている。【選択図】    図１３
2014180500.tif 000002
【特許請求の範囲】
【請求項１】
複数の発光素子を備え、棚板の下面又は下部に取り付けられる陳列棚の照明装置において、
前記照明装置は、本体カバーと、この本体カバー内に収容され前記複数の発光素子を保持するベースフレームと、前記本体カバーと前記ベースフレームとの間のスペースに挿入されるスペーサ部材と、前記本体カバーに取り付けられる本体エンドとを備えることを特徴とする陳列棚の照明装置。
【請求項２】
前記スペーサ部材は、前記本体エンドとベースフレームとの間に挿入され、前記本体エンドは、前記スペーサ部材を介して前記本体カバーに取り付けられることを特徴とする請求項１に記載の陳列棚の照明装置。
【請求項３】
前記本体カバーは、平板状の立方体に形成され、陳列棚の棚板側と面する側は平板部が形成され、この平板部と対向する側に矩形状の開口部が形成され、前記平板部の両側に側面部が形成され、前記開口部の両側には、それぞれの側面部に隣接する棚部が形成されていることを特徴とする請求項１に記載の陳列棚の照明装置。
【請求項４】
前記複数の発光素子を取り付けた基板を有し、前記ベースフレームは、前記基板が取り付けられるテーパー面と、このテーパー面に対向するように設けられ前記本体部の開口部に対応した開口部を有する反射面と、前記本体カバーの棚部上に載置されるように形成された棚部と、前記ベースフレームの開口部に設けられた溝と、この溝に挿入される拡散板と、を備え、前記本体カバーの棚部上に前記棚部が載置され、前記本体カバーにベースフレームが保持され、前記発光素子からの光が前記反射面により、前記開口部方向へ反射され、前記拡散板から放射されることを特徴とする請求項３に記載の陳列棚の照明装置。
【請求項５】
前記スペーサ部材は、本体部と、この本体部の両側部に本体部と直交する方向に延在して突出片とを有し、前記突出片は前記本体カバーとベースフレームとの間のスペースに対応する長さに調整されていることを特徴とする請求項３又は請求項４に記載の陳列棚の照明装置。
【請求項６】
前記突出片は、前記拡散板を支える支持部と、前記本体カバーの棚部上に載置される段部とを有し、前記支持部の外表面は、スペーサ部材を装着した際、前記ベースフレームの溝の外表面と面一になるように形成されていることを特徴とする請求項５に記載の陳列棚の照明装置。
【請求項７】
前記突出片の支持部のベースフレーム側の表面には、前記突出片の長さを示すスケールが設けられていることを特徴とする請求項６に記載の陳列棚の照明装置。
【請求項８】
前記スペーサ部材の本体部に穴部が設けられ、前記本体エンドの本体カバーと対向する面に前記穴部に挿入されるピンが設けられていることを特徴とする請求項５ないし請求項７のいずれか１項に記載の陳列棚の照明装置。
【請求項９】
前記本体エンドには、前記基板から導出されるリード線が引き出される第１の窓部と、前記リード線の先端に取り付けられたコネクタを収容するための第２の窓部が設けられ、前記第２の窓部から前記コネクタが本体カバーの空間に収容されることを特徴とする請求項８に記載の陳列棚の照明装置。
【請求項１０】
前記スペーサ部材は、本体部と、この本体部と直交する方向に延在する板状の突出部とを有し、前記突出部は前記本体カバーとベースフレームとの間のスペースに対応する長さに調整されていることを特徴とする請求項３又は請求項４に記載の陳列棚の照明装置。
【請求項１１】
前記突出部は、前記拡散板を支える支持部と、前記本体カバーの棚部上に載置される段部とを有し、前記支持部の外表面は、スペーサ部材を装着した際、前記ベースフレームの溝の外表面と面一になるように形成されていることを特徴とする請求項１０に記載の陳列棚の照明装置。
【請求項１２】
前記突出部の支持部のベースフレーム側の表面には、前記突出部の長さを示すスケールが設けられていることを特徴とする請求項１１に記載の陳列棚の照明装置。
【請求項１３】
前記スペーサ部材は、本体部の厚さの異なる部材を複数個組み合わせて前記本体エンドとベースフレームとの間に挿入されることを特徴とする請求項４に記載の陳列棚の照明装置。
【請求項１４】
前記スペーサ部材は、本体部の両側部に本体部と同じ厚さの段部が形成され、段部の上面は、前記本体カバーの棚部に当接し、前記本体部の上面の幅が本体カバーの開口部に嵌まり込む大きさに形成されていることを特徴とする請求項１３に記載の陳列棚の照明装置。
【請求項１５】
前記スペーサ部材の本体部には、本体エンドのピン又は本体エンド側に挿入されるスペーサ部材のピンが挿入される穴部が設けられ、この穴部の反対面側には、ピンが設けられていることを特徴とする請求項１４に記載の陳列棚の照明装置。
【請求項１６】
前記スペーサ部材の本体部の前記拡散板が当接する位置に拡散板上に配置される鍔部が設けられていることを特徴とする請求項１３ないし請求項１５のいずれか１項に記載の陳列棚の照明装置。
【請求項１７】
前記スペーサ部材は、本体部及び突出片が板状に形成され、前記本体部の両側に段部が形成され段部の上面は、前記本体カバーの棚部に当接し、前記突出片の幅が本体カバーの開口部に嵌まり込む大きさに形成されているとともに、前記本体部、段部及び突出片に所定の間隔で切り込み溝が設けられていることを特徴とする請求項４に記載の陳列棚の照明装置。
【請求項１８】
前記スペーサ部材の本体部の前記拡散板が当接する位置に拡散板上に配置される鍔部が設けられていることを特徴とする請求項１７に記載の陳列棚の照明装置。
【請求項１９】
前記スペーサ部材は、本体部及び突出片が板状に形成され、前記本体部から直交する方向に左右に第１の脚部が設けられ、前記第１の脚部に前記本体カバーの棚部にそれぞれ係合する凸部が設けられ、前記本体部、突出片、及び第１の脚部に所定の間隔で切り込み溝が設けられていることを特徴とする請求項４に記載の陳列棚の照明装置。
【請求項２０】
前記本体部に前記本体カバーに当接する長さの２つの第２の脚部が形成され、一方の脚部は前記本体カバーの壁部に当接することを特徴とする請求項１９に記載の陳列棚の照明装置。
【請求項２１】
前記スペーサ部材の本体部の前記拡散板が当接する位置に拡散板上に配置される鍔部が設けられていることを特徴とする請求項１９又は請求項２０に記載の陳列棚の照明装置。
【請求項２２】
前記本体カバーに複数のベースフレームが収容され、ベースフレーム間に前記スペーサ部材が挿入されることを特徴とする請求項１に記載の陳列棚の照明装置。
【請求項２３】
前記本体カバーは、平板状の立方体に形成され、陳列棚の棚板側と面する側は平板部が形成され、この平板部と対向する側に矩形状の開口部が形成され、前記平板部の両側に側面部が形成され、前記開口部の両側には、それぞれの側面部に隣接する棚部が形成されていることを特徴とする請求項２２に記載の陳列棚の照明装置。
【請求項２４】
前記複数の発光素子を取り付けた基板を有し、前記ベースフレームは、前記基板が取り付けられるテーパー面と、このテーパー面に対向するように設けられ前記本体部の開口部に対応した開口部を有する反射面と、前記本体カバーの棚部上に載置されるように形成された棚部と、前記ベースフレームの開口部に設けられた溝と、この溝に挿入される拡散板と、を備え、前記本体カバーの棚部上に前記棚部が載置され、前記本体カバーにベースフレームが保持され、前記発光素子からの光が前記反射面により、前記開口部方向へ反射され、前記拡散板から放射されることを特徴とする請求項２２又は請求項２３に記載の陳列棚の照明装置。
【請求項２５】
前記スペーサ部材は、前記本体部の開口部に対応した開口部を有する反射面と、前記本体カバーの脚部上に載置されるように形成された棚部と、前記スペーサ部材の開口部に設けられた溝と、を備え、前記本体カバーの脚部上に前記棚部が載置され、前記本体カバーにスペーサ部材が保持されることを特徴とする請求項２４に記載の陳列棚の照明装置。
【請求項２６】
前記スペーサ部材は、板状部と前記本体カバーの棚部に上から挿入される脚部と、前記棚部に係合する凸部が設けられていることを特徴とする請求項２３に記載の陳列棚の照明装置。
【発明の詳細な説明】
【技術分野】
【０００１】
この発明は、商品陳列棚等に用いられる照明装置に関し、この照明装置により下側に位置する棚板上の商品等の照明を行う陳列棚の照明装置に関するものである。
【背景技術】
【０００２】
店舗用の什器に付設される照明装置には、いろいろな種類があるが、例えば、商品陳列棚では、棚板を多段状に取り付けて構成し、下段棚板上の陳列商品を照明して商品陳列効果を高めるための照明装置が棚板の下面に取り付けられる。
【０００３】
従来、この照明の光源には蛍光灯が一般的に使用されていた。蛍光灯を用いた棚板用の照明装置では、棚板の下面前部に前面幅方向に沿って蛍光灯が取り付けられ、両端に取り付けられたソケットを介して給電され、下段棚板上の陳列商品を照明している。
【０００４】
上記した蛍光灯や、その他の照明装置である白熱電球、スポットライト等の照明光源は、光源の発熱量が大きく、消費電力も多い。このような事情から、近年、発熱や消費電力が少ない発光ダイオード（ＬＥＤ）が注目され、照明装置を発光ダイオードで構成するものが増えている。
【０００５】
棚板のフロント側の端部の下側へ発光ダイオードを使用した照明装置を取り付ける棚構造の照明装置の一例が特許文献１に開示されている。
【０００６】
この照明装置は、棚板のフロント側の端部の下面に内部に発光ダイオード列を有する基板を取り付けたフレーム本体が取り付けられる。この発光ダイオード列からの光を反射するための反射部材と、発光ダイオード列をカバーする透光部を有するカバー部材とがそれぞれフレーム本体に取り付けられている。
【０００７】
そして、発光ダイオード列からの光が反射部材により透光部に向けられ、広い範囲で商品を照明する。
【先行技術文献】
【特許文献】
【０００８】
【特許文献１】特開２０１０−２５１２９４号公報
【発明の概要】
【発明が解決しようとする課題】
【０００９】
ところで、陳列棚の幅は種々のサイズのものがある。上記した照明装置においては、発光ダイオード列を有する基板や反射板を陳列棚の幅に応じたものだけ用意する必要があり、基板や反射板を多種類準備することになり、その分コストが嵩むという難点がある。
【００１０】
また、陳列棚の幅を変更し、それに対応する基板等がない場合には、基板を準備するまでに時間を要し、陳列棚の幅の変更などには直ちに対応できないなどの難点があった。
【００１１】
この発明の目的は、上記した従来の難点に鑑みなされたものにして、種々の幅の陳列棚に容易に対応できる照明装置を提供することにある。
【課題を解決するための手段】
【００１２】
この発明は、複数の発光素子を備え、棚板の下面又は下部に取り付けられる陳列棚の照明装置において、前記照明装置は、本体カバーと、この本体カバー内に収容され前記複数の発光素子を保持するベースフレームと、前記本体カバーと前記ベースフレームとの間のスペースに挿入されるスペーサ部材と、前記本体カバーに取り付けられる本体エンドとを備えることを特徴とする。
【００１３】
また、前記スペーサ部材は、前記本体エンドとベースフレームとの間に挿入され、前記本体エンドは、前記スペーサ部材を介して前記本体カバーに取り付けられることを特徴とする。
【００１４】
また、前記本体カバーは、平板状の立方体に形成され、陳列棚の棚板側と面する側は平板部が形成され、この平板部と対向する側に矩形状の開口部が形成され、前記平板部の両側に側面部が形成され、前記開口部の両側には、それぞれの側面部に隣接する棚部が形成されているように構成することができる。
【００１５】
また、前記複数の発光素子を取り付けた基板を有し、前記ベースフレームは、前記基板が取り付けられるテーパー面と、このテーパー面に対向するように設けられ前記本体部の開口部に対応した開口部を有する反射面と、前記本体カバーの棚部上に載置されるように形成された棚部と、前記ベースフレームの開口部に設けられた溝と、この溝に挿入される拡散板と、を備え、前記本体カバーの棚部上に前記棚部が載置され、前記本体カバーにベースフレームが保持され、前記発光素子からの光が前記反射面により、前記開口部方向へ反射され、前記拡散板から放射されるように構成することができる。
【００１６】
また、前記スペーサ部材は、本体部と、この本体部の両側部に本体部と直交する方向に延在して突出片とを有し、前記突出片は前記本体カバーとベースフレームとの間のスペースに対応する長さに調整されているように構成することができる。
【００１７】
また、前記突出片は、前記拡散板を支える支持部と、前記本体カバーの棚部上に載置される段部とを有し、前記支持部の外表面は、スペーサ部材を装着した際、前記ベースフレームの溝の外表面と面一になるように形成するとよい。
【００１８】
また、前記突出片の支持部のベースフレーム側の表面には、前記突出片の長さを示すスケールを設けるとよい。
【００１９】
また、前記スペーサ部材の本体部に穴部が設けられ、前記本体エンドの本体カバーと対向する面に前記穴部に挿入されるピンが設けられ、前記本体エンドには、前記基板から導出されるリード線が引き出される第１の窓部と、前記リード線の先端に取り付けられたコネクタを収容するための第２の窓部が設けられ、前記第２の窓部から前記コネクタが本体カバーの空間に収容されるように構成すればよい。
【００２０】
また、前記スペーサ部材は、本体部と、この本体部と直交する方向に延在する板状の突出部とを有し、前記突出部は前記本体カバーとベースフレームとの間のスペースに対応する長さに調整されているように構成することができる。  
【００２１】
また、前記スペーサ部材は、本体部の厚さの異なる部材を複数個組み合わせて前記本体エンドとベースフレームとの間に挿入されるように構成することができる。
【００２２】
また、前記スペーサ部材は、本体部及び突出片が板状に形成され、前記本体部の両側に段部が形成され段部の上面は、前記本体カバーの棚部に当接し、前記突出片の幅が本体カバーの開口部に嵌まり込む大きさに形成されているとともに、前記本体部、段部及び突出片に所定の間隔で切り込み溝が設けられているように構成することができる。
【００２３】
また、前記スペーサ部材は、本体部及び突出片が板状に形成され、前記本体部から直交する方向に左右に第１の脚部が設けられ、前記第１の脚部に前記本体カバーの棚部にそれぞれ係合する凸部が設けられ、前記本体部、突出片、及び第１の脚部に所定の間隔で切り込み溝が設けられているように構成することができる。
【００２４】
また、前記本体カバーに複数のベースフレームが収容され、ベースフレーム間に前記スペーサ部材が挿入されるように構成することができる。
【００２５】
前記スペーサ部材は、前記本体部の開口部に対応した開口部を有する反射面と、前記本体カバーの脚部上に載置されるように形成された棚部と、前記スペーサ部材の開口部に設けられた溝と、を備え、前記本体カバーの脚部上に前記棚部が載置され、前記本体カバーにスペーサ部材が保持されるように構成することができる。
【００２６】
また、前記スペーサ部材は、板状部と前記本体カバーの棚部に上から挿入される脚部と、前記棚部に係合する凸部が設けられているように構成することがでいる。
【発明の効果】
【００２７】
この発明は、棚板の幅に応じて種々用意された本体カバーに対して、本体カバーの端部とベースフレームの端部との間のスペースにスペーサ部材を挿入することで、種々の棚板に容易に対応することができる。
【図面の簡単な説明】
【００２８】
【図１】この発明の実施形態にかかる陳列棚の照明装置を示す斜視図である。
【図２】この発明の実施形態にかかる陳列棚の照明装置を照明側から見た斜視図である。
【図３】この発明の実施形態にかかる陳列棚の照明装置に用いられる本体カバーを示す斜視図である。
【図４】この発明の実施形態にかかる陳列棚の照明装置に用いられるベースフレーム部分を示す斜視図であり、（ａ）は、ベースフレーム、（ｂ）はＬＥＤ基板を取り付けたベースフレームを示している。
【図５】この発明の第１の実施形態にかかる陳列棚の照明装置の側面図である。
【図６】この発明の第１の実施形態にかかる陳列棚の照明装置の側面図である。
【図７】この発明の第１の実施形態にかかる陳列棚の照明装置の側面図である。
【図８】この発明の第１の実施形態にかかる陳列棚の照明装置の分解斜視図である。
【図９】この発明の第１の実施形態にかかる陳列棚の照明装置を照明側から見た分解平面図である。
【図１０】この発明の第１の実施形態にかかる陳列棚の照明装置を背面側から見た分解平面図である。
【図１１】この発明の第１の実施形態にかかる陳列棚の照明装置を背面側から見た分解側面図である
【図１２】この発明の第１の実施形態にかかる陳列棚の照明装置を背面側から見た側面図である。
【図１３】この発明の第１の実施形態にかかる陳列棚の照明装置を照明側から見た平面図である。
【図１４】この発明の実施形態にかかる陳列棚の照明装置に用いられる左側エンド部材を示し、（ａ）は斜視図、（ｂ）は上面図、（ｃ）は正面図、（ｄ）は左側面図、（ｅ）は右側面図、（ｆ）は背面図である。
【図１５】この発明の実施形態にかかる陳列棚の照明装置に用いられる右側エンド部材を示し、（ａ）は斜視図、（ｂ）は上面図、（ｃ）は正面図、（ｄ）は左側面図、（ｅ）は右側面図、（ｆ）は背面図である。
【図１６】この発明の第１の実施形態にかかる陳列棚の照明装置に用いられる左側スペーサ部材を示し、（ａ）は斜視図、（ｂ）は上面図、（ｃ）は正面図、（ｄ）は左側面図、（ｅ）は背面図、（ｆ）は底面図である。
【図１７】この発明の第１の実施形態にかかる陳列棚の照明装置に用いられる右側スペーサ部材を示し、（ａ）は斜視図、（ｂ）は上面図、（ｃ）は正面図、（ｄ）は左側面図、（ｅ）は背面図、（ｆ）は底面図である
【図１８】この発明の実施形態にかかる陳列棚の照明装置に用いられる左側ウッドキャップ部材を示し、（ａ）は斜視図、（ｂ）は上面図、（ｃ）は正面図、（ｄ）は左側面図、（ｅ）は右側面図、（ｆ）は背面図、（ｇ）は底面図である。
【図１９】この発明の実施形態にかかる陳列棚の照明装置に用いられる右側ウッドキャップ部材を示し、（ａ）は斜視図、（ｂ）は上面図、（ｃ）は正面図、（ｄ）は左側面図、（ｅ）は右側面図、（ｆ）は背面図、（ｇ）は底面図である。
【図２０】この発明の実施形態にかかる陳列棚の照明装置を照明側から見た斜視図である。
【図２１】この発明の実施形態にかかる陳列棚の照明装置の端部を照明側から見た平面図である。
【図２２】この発明の実施形態にかかる陳列棚の照明装置の端部を照明側から見た平面図である。
【図２３】この発明の実施形態にかかる陳列棚の照明装置の端部を照明側から見た平面図である。
【図２４】この発明の実施形態にかかる陳列棚の照明装置の端部の側面図である。
【図２５】この発明の実施形態にかかる陳列棚の照明装置の端部の側面図である。
【図２６】この発明の実施形態にかかる陳列棚の照明装置を木板の棚板に取りけた状態を示す平面図である。
【図２７】陳列棚へこの発明の実施形態にかかる照明装置を取り付けた状態を示す斜視図である。
【図２８】この発明の実施形態にかかる照明装置の本体カバーにフラットホルダーを取り付ける状態を示す斜視図である。
【図２９】この発明の実施形態にかかる照明装置の本体カバーにフラットホルダーを取り付けた状態を示す斜視図である。
【図３０】この発明の実施形態にかかる照明装置を連続するスパンのブラケットに取り付ける状態を示す平面図である。
【図３１】この発明の実施形態にかかる照明装置の本体カバーにスライドホルダーを取り付ける状態を示す斜視図である。
【図３２】この発明の実施形態にかかる照明装置の本体カバーにスライドホルダーを取り付けた状態を示す斜視図である。
【図３３】スライドホルダーを用いて照明装置をブラケットに取り付ける状態を示す模式図であり、（ａ）は回転させる状態。（ｂ）は取り付けた状態を示している。
【図３４】この発明の第２の実施形態のスペーサ部材を示す斜視図であり、（ａ）は照明側からの斜視図、（ｂ）は（ａ）の逆方向側からの斜視図である。
【図３５】この発明の第２の実施形態のスペーサ部材を示し、（ａ）は上面図、（ｂ）は正面図、（ｃ）は底面図である。
【図３６】この発明の第２の実施形態のスペーサ部材を示し、（ａ）は左側面図、（ｂ）は右側面図、（ｃ）は背面図である。
【図３７】この発明の第２の実施形態にかかる陳列棚の照明装置を照明側から見た分解斜視図である。
【図３８】この発明の第２の実施形態にかかる陳列棚の照明装置を棚の取り付け側から見た分解斜視図である。
【図３９】この発明の第２の実施形態にかかる陳列棚の照明装置を照明側から見た分解平面図である。
【図４０】この発明の第２の実施形態のスペーサを取り付けた状態を示す照明装置の側面図である。
【図４１】この発明の第２の実施形態のスペーサを取り付けた状態を示す照明装置の側面図である。
【図４２】この発明の第２の実施形態のスペーサを取り付けた状態を示す照明装置の側面図である。
【図４３】この発明の第３の実施形態のベースフレーム側に挿入されるスペーサ部材を示す斜視図であり、（ａ）は照明側からの斜視図、（ｂ）は（ａ）の逆方向側からの斜視図である。
【図４４】この発明の第３の実施形態のベースフレーム側に挿入されるスペーサ部材を示し、（ａ）は上面図、（ｂ）は正面図、（ｃ）は底面図である。
【図４５】この発明の第３の実施形態の本体エンド側に挿入されるスペーサ部材を示す斜視図であり、（ａ）は照明側からの斜視図、（ｂ）は（ａ）の逆方向側からの斜視図、（ｃ）はベースフレーム側から見た斜視図である。
【図４６】この発明の第３の実施形態の本体エンド側に挿入されるスペーサ部材を示し、（ａ）は上面図、（ｂ）は正面図、（ｃ）は底面図である。
【図４７】この発明の第３の実施形態の本体エンド側に挿入されるスペーサ部材を示し、（ａ）は左側面図、（ｂ）は右側面図である。
【図４８】この発明の第３の実施形態の本体エンド側に挿入されるスペーサ部材とベースフレーム側に挿入されるスペーサ部材の取り付け状態を示す斜視図である。
【図４９】この発明の第３の実施形態の本体エンド側に挿入されるスペーサ部材とベースフレーム側に挿入されるスペーサ部材の取り付け状態を示す斜視図である。
【図５０】この発明の第３の実施形態にかかる陳列棚の照明装置を照明側から見た分解斜視図である。
【図５１】この発明の第３の実施形態にかかる陳列棚の照明装置を照明側から見た平面図である。
【図５２】この発明の第３の実施形態の本体エンド側に挿入されるスペーサ部材とベースフレーム側に挿入されるスペーサ部材の取り付け状態を示す部分拡大断面図である。
【図５３】この発明の第４の実施形態のベースフレーム側に挿入されるスペーサ部材を示す斜視図であり、（ａ）は棚板側からの斜視図、（ｂ）は照明側からの斜視図である。
【図５４】この発明の第４の実施形態のベースフレーム側に挿入されるスペーサ部材を示し、（ａ）は上面図、（ｂ）は正面図、（ｃ）は底面図である。
【図５５】この発明の第４の実施形態のベースフレーム側に挿入されるスペーサ部材と本体エンド側に挿入されるスペーサ部材の取り付け状態を示す斜視図である。
【図５６】この発明の第４の実施形態のベースフレーム側に挿入されるスペーサ部材と本体エンド側に挿入されるスペーサ部材の取り付け状態を示す平面図である。
【図５７】この発明の第４の実施形態のベースフレーム側に挿入されるスペーサ部材と本体エンド側に挿入されるスペーサ部材の取り付け状態を示す拡大した平面図である。
【図５８】この発明の第４の実施形態の本体エンド側に挿入されるスペーサ部材とベースフレーム側に挿入されるスペーサ部材の取り付け状態を示す部分拡大断面図である。
【図５９】この発明の第３、第４の実施形態のスペーサを取り付けた状態を示す照明装置の側面図である。
【図６０】この発明の第３、第４の実施形態のスペーサを取り付けた状態を示す照明装置の側面図である。
【図６１】この発明の第５の実施形態のスペーサ部材を示す斜視図であり、（ａ）は照明側からの斜視図、（ｂ）は（ａ）の逆方向側からの斜視図である。
【図６２】この発明の第５の実施形態のスペーサ部材を示し、（ａ）は上面図、（ｂ）は正面図、（ｃ）は底面図である。
【図６３】この発明の第５の実施形態のスペーサ部材を示し、（ａ）は左側面図、（ｂ）は右側面図、（ｃ）は背面図である。
【図６４】この発明の第５の実施形態のスペーサ部材の取り付け状態を照明側から示す分解斜視図である。
【図６５】この発明の第５の実施形態のスペーサ部材の取り付け状態を棚側から示す分解斜視図である。
【図６６】この発明の第５の実施形態のスペーサ部材の取り付け状態を照明側から示す平面図である。
【図６７】この発明の第５の実施形態のスペーサ部材の取り付け状態を棚側から示す分解斜視図である。
【図６８】この発明の第５の実施形態の本体エンド側に挿入されるスペーサ部材とベースフレーム側に挿入されるスペーサ部材の取り付け状態を示す部分拡大断面図である。
【図６９】この発明の第５の実施形態の本体エンド側に挿入されるスペーサ部材とベースフレーム側に挿入されるスペーサ部材の取り付け状態を示す部分拡大平面図である。
【図７０】この発明の第５の実施形態のスペーサを取り付けた状態を示す照明装置の側面図である。
【図７１】この発明の第５の実施形態のスペーサを取り付けた状態を示す照明装置の側面図である。
【図７２】この発明の第６の実施形態のスペーサ部材を示す斜視図であり、（ａ）は棚側からの斜視図、（ｂ）は照明側からの斜視図である。
【図７３】この発明の第６の実施形態のスペーサ部材を示し、（ａ）は上面図、（ｂ）は正面図、（ｃ）は底面図である。
【図７４】この発明の第６の実施形態のスペーサ部材を示し、（ａ）は左側面図、（ｂ）は右側面図、（ｃ）は背面図である。
【図７５】この発明の第６の実施形態のスペーサ部材の取り付け状態を照明側から示す分解斜視図である。
【図７６】この発明の第６の実施形態のスペーサ部材の取り付け状態を棚側から示す分解斜視図である。
【図７７】この発明の第６の実施形態の本体エンド側に挿入されるスペーサ部材とベースフレーム側に挿入されるスペーサ部材の取り付け状態を示す部分拡大断面図である。
【図７８】この発明の第６の実施形態の本体エンド側に挿入されるスペーサ部材とベースフレーム側に挿入されるスペーサ部材の取り付け状態を示す部分拡大平面図である。
【図７９】この発明の第６の実施形態のスペーサを取り付けた状態を示す照明装置の側面図である。
【図８０】この発明の第７の実施形態のスペーサ部材を示す斜視図であり、（ａ）は照明側からの斜視図、（ｂ）は本体ケース側からの斜視図である。
【図８１】この発明の第７の実施形態のスペーサ部材を示し、（ａ）は上面図、（ｂ）は正面図、（ｃ）は底面図である。
【図８２】この発明の第７の実施形態のスペーサ部材の取り付け状態を照明側から示す斜視図である。
【図８３】この発明の第７の実施形態のスペーサ部材の取り付け状態を示す部分拡大平面図である。
【図８４】この発明の第７の実施形態のスペーサを取り付けた状態を示す照明装置の側面図である。
【図８５】この発明の第８の実施形態のスペーサ部材を示す斜視図であり、（ａ）は照明側からの斜視図、（ｂ）は本体ケース側からの斜視図である。
【図８６】この発明の第８の実施形態のスペーサ部材を示し、（ａ）は上面図、（ｂ）は正面図、（ｃ）は底面図である。
【図８７】この発明の第８の実施形態のスペーサ部材の取り付け状態を照明側から示す斜視図である。
【図８８】この発明の第８の実施形態のスペーサ部材の取り付け状態を示す平面図である。
【図８９】この発明の第８の実施形態において、ベースフレームの方向を交互にした状態を示す斜視図である。
【図９０】この発明の第８の実施形態のスペーサを取り付けた状態を示す照明装置の側面図である。
【図９１】この発明の第８の実施形態のスペーサを取り付けた状態を示す照明装置の側面図である。
【発明を実施するための形態】
【００２９】
この発明の実施の形態について図面を参照しながら詳細に説明する。なお、図中同一または相当部分には同一符号を付し、説明の重複を避けるためにその説明は繰返さない。
【００３０】
図１は、この発明の実施形態にかかる陳列棚の照明装置を示す斜視図、図２は、陳列棚の照明装置を照明側から見た斜視図である。図１及び図２に示すように、この発明の照明装置Ｌは、本体カバー１と、複数の発光素子としてのＬＥＤ光源を取り付けたＬＥＤ基板を保持するベースフレーム２と、拡散板３、本体カバー１に取り付けられる一対のスペーサ部材４、４と、スペーサ部材４の外側に取り付けられる一対の本体エンド５、５とを備える。本体エンド５は本体カバー１にねじ9により固定される。この実施形態においては、本体カバー１には、棚板に取り付ける際にねじが挿入されるねじ用凹部１８、１９が設けられている。これは照明装置Ｌが長い場合には、両端だけで棚板に取り付けた場合に照明装置Ｌが撓む虞があるため、照明装置Ｌの中央部分でも棚板にねじ止めできるようにしている。なお、このねじ用凹部１８、１９は照明装置Ｌの長さが短い場合には設けなくても良い。即ち、照明装置Ｌの長さに応じて、適宜設けられ、その個数も適宜選択すれば良い。
【００３１】
図３は、この発明の実施形態にかかる陳列棚の照明装置に用いられる本体カバーを示す斜視図、図４は、この発明の実施形態にかかる陳列棚の照明装置に用いられるベースカバー部分を示す斜視図である。り、（ａ）は、ベースカバー、（ｂ）はＬＥＤ基板を取り付けたベースカバーを示している。
【００３２】
図１から図４に示すように、本体カバー１は、例えば、アルミニウムの押し出し成形等により平板状の立方体に形成されている。陳列棚の棚板側と面する側は平板部１０が形成され、この平板部１０と対向する側に矩形状の開口部１２が形成されている。側面部１３、１１が平板部１０の両側面に隣接して形成されている。一方の側面部１１には、後述するフラットホルダーやスライドホルダーの差し込み片と係合する一対の爪部１１ａ、１１ａが設けられている。開口部１２の両側には、側面部１３に隣接する棚部１４、側面部１１に隣接する棚部１５がそれぞれ設けられている。平板部１０の内側にはベースフレーム２の突出部２１と当接する壁部１６が設けられている。
【００３３】
壁部１６と側面部１１との間の空間には、後述するように、ＬＥＤ基板２０から引き出されたリード線の先端部に設けられたコネクタが照明装置Ｌの保管時などに収容される。本体カバー１には、本体エンド５、５をねじ９で固定するためのねじ穴１７、１７が設けられている。
【００３４】
図４に示すように、ベースフレーム２は、例えば、アルミニウムの押し出し成形等により形成され、ＬＥＤ基板２０が取り付けられるテーパー面２０ａが設けられている。このテーパー面２０ａに対向するように反射面２２が設けられる。この反射面２２は本体カバー１の開口部１２に対応し、開口部１２より一回りほど小さな開口部が形成される。そして、ＬＥＤ基板２０に設けられたＬＥＤ光源からの光が反射面２２により、本体カバー１の開口部１２方向へ反射される。ベースフレーム２は、光の反射を効率よく行うために、白色に着色されている。また、反射面２２には、光の反射をよりよくするために、反射シートを接着してもよい。
【００３５】
ベースフレーム２の反射面２２の背面側の一部は前記本体カバー１の平板部１０に当接するように平板状に形成され、開口部１２方向に向かってアーチ状に形成されている。反射面２２の背面には、本体カバー１の平板部１０及び壁部１６に当接し、ベースフレーム２の位置決めを行う突出部２１が設けられている。そして、ベースフレーム２には、本体カバー１の棚部１４上に載置される棚部２３、本体カバー１の棚部１５上に載置される棚部２４が形成されている。
【００３６】
ベースフレーム２には、コネクタ窓２６が設けられ、テーパー面２０ａにＬＥＤ基板２０を取り付けると、コネクタ窓２６からコネクタ２７が露出する。このコネクタ２７にリード線のコネクタを差し込み、外部からの電源の供給がなされる。また、隣接するベースフレーム２間のＬＥＤ基板２０同士の接続もコネクタ２７にリード線のコネクタを接続して行われる。
【００３７】
ベースフレーム２の開口部には、拡散板３を挿入するための溝２５、２５が形成されている。
【００３８】
図５から図７は、この発明の実施形態にかかる陳列棚の照明装置の側面図である。図５から図７に示すように、本体カバー１の棚部１４、１５にベースフレーム２の棚部２３、２４を載せるようにしてスライドさせて本体カバー１内にベースフレーム２を差し込む。そして、所定の位置までベースフレーム２をスライドさせて、本体カバー１内にベースフレーム２が装着され、保持される。ＬＥＤ基板２０のコネクタ２７に接続され引き出されるリード線は本体カバー１の側面部１３とベースフレーム２との間の空間に引き込まれ、本体カバー１の外部まで案内される。
【００３９】
ベースフレーム２の溝２５、２５間に、拡散板３を挿入し、拡散板３を取り付ける。ＬＥＤ光源からの光は反射面２２で反射され、拡散板３から光が放射される。
【００４０】
ところで、この発明の照明装置Ｌにおいては、本体カバー１は、棚板の幅に応じて種々用意されるが、ベースフレーム２は、３種類程度のサイズのものを用意し、複数のベースフレーム２を組み合わせて所定の長さになるように構成している。このため、本体カバー１の長さによっては、ベースフレーム２の長さが短くなる場合が生じる。そこで、この発明の実施形態にかかる照明装置Ｌにおいては、図８から図１３に示すように、本体カバー１の端部とベースフレーム２の端部との間のスペースにスペーサ部材４を挿入し、その間の空間を埋めるように構成している。
【００４１】
スペーサ部材４は、本体カバー１の左右にそれぞれ取り付けられるもので、図１６及び図１７に示すように、左右のスペーサ部材４、４は、左右対象に形成されている。図１６は、左側スペーサ部材を示し、図１７は、右側スペーサ部材を示し、それぞれ（ａ）は斜視図、（ｂ）は上面図、（ｃ）は正面図、（ｄ）は左側面図、（ｅ）は背面図、（ｆ）は底面図である。上記のように、スペーサ部材４は、左右対称である以外は、左側も右側も同一の構成になっている。
【００４２】
スペーサ部材４は、例えば、樹脂成形により形成され、スペーサ部材４の本体部４０の両側部に本体部４０と直交する方向に延在して一対の突出片４１が形成されている。この第１の実施形態では、突出片４１は３５ｍｍの長さを有している。左右に一対のスペーサ部材４を本体カバー１に取り付けるので、本体カバー１とベースフレーム２との間のスペースを０から７０ｍｍの範囲で補うことが可能である。
【００４３】
突出片４１は、拡散板３を支える支持部４１ａと、本体カバー１の棚部１４又は棚部１５の上に載置される段部４１ｂとを有する。この段部４１ｂは支持部４１ａの上面よりベースフレーム２の溝部２５の幅の分だけ上に段差を有して形成されている。支持部４１ａの外表面は、スペーサ部材４を装着した際、ベースフレーム２の溝２５の外表面と面一になるように形成されている。そして、その色合いもベースフレーム２の外表面と同じにし、スペーサ部材４を装着して照明側から見ても違和感がないように構成している。
【００４４】
支持部４１ａの拡散板３を支持する側の表面には、突出片４１の長さを示すスケールが設けられている。本体カバー１とベースフレーム２との間の隙間に対応して突出片４１の長さを切断し調整する際に、このスケールにより容易に切断加工が行える。
【００４５】
本体部４０の下方部には、拡散板３が挿入されるスリット４３が設けられ、中央部には、後述するウッドキャップ６の爪部が挿入される開口部４２が設けられている。更に、本体部４０には、本体エンド５のピンが挿入される穴部４６、４６が設けられている。また、本体部４０の一方端には、リード線が案内される一対の突出部４７が設けられ、この突出部４７、４７には、対向する突起４７ａ、４７ａが設けられ、この突起４７ａにより、リード線が保持される。  
【００４６】
図６に示すように、スペーサ部材４の段部４１ｂを本体カバー１の棚部１４、棚部１５に係合するように、本体カバー１の棚部１４、棚部１５上に装着すると、ベースフレーム２の端部と当接して、スペーサ部材４が取り付けられ、本体カバー１と一体化する。ＬＥＤ基板２０から引き出されるリード線は本体カバー１の側面部１３とベースフレーム２との間の空間に引き込まれ、突起４７ａ、４７ａで保持され、本体カバー１の外部まで案内される。
【００４７】
スペーサ部材４を取り付けた後、本体エンド５が取り付けられる。本体エンド５は、スペーサ部材４を取り付けた本体カバー１の左右にそれぞれ取り付けられるもので、図１４及び図１５示すように、左右の本体エンド５、５は、左右対象に形成されている。図１４は、左側エンド部材、図１５は、右側エンド部材を示し、それぞれ（ａ）は斜視図、（ｂ）は上面図、（ｃ）は正面図、（ｄ）は左側面図、（ｅ）は右側面図、（ｆ）は背面図である。
【００４８】
本体エンド５は、本体カバー１と対向する面に２つのピン５６、５６が突出して形成されている。ピン５６は、スペーサ部材４に設けられた穴４６、４６に対応した位置に形成されている。このピン５６をスペーサ部材４の穴４６、４６にはめ込むことにより、本体エンド５がスペーサ部材４に仮止めされる。
【００４９】
本体エンド５には、リード線が引き出される窓部５１、ウッドキャップ６を取り付けるための開口部５２、コネクタを収容するための窓部５３が設けられている。
【００５０】
本体エンド５には、フラットホルダーやスライドホルダーの差し込み片が挿入される一対の爪部５５、５５が設けられている。そして、本体カバー１に設けられたねじ穴１６、１６に対応する位置にねじ穴５４、５４が設けられている。
【００５１】
図７に示すように、本体エンド５のピン５６をスペーサ部材４の穴４６、４６にはめ込み、本体エンド５をスペーサ部材４に仮止めした後、ねじ穴５４、５４にねじ９をねじ込むことで、本体カバー１に本体エンド５が固定される。
【００５２】
本体カバー１に本体エンド５を取り付けると、本体カバー１、ベースフレーム２の端面及びスペーサ部材４は本体エンド５により覆われる。そして、リード線を引き出す窓部５１、コネクタを収容する窓部５３、ウッドキャップ６を取り付けるための開口部５２が露出した状態となる。
【００５３】
木の棚板の下側にこの発明の照明装置Ｌを取り付ける場合には、ウッドキャップ６を本体エンド５に取り付ける。ウッドキャップ６は、本体エンド５を取り付けた本体カバー１の左右にそれぞれ取り付けられるもので、図１８及び図１９に示すように、左右のウッドキャップ６、６は、左右対象に形成されている。図１８は、左側ウッドキャップ部材、図１９は、右側ウッドキャップ部材を示し、それぞれ（ａ）は斜視図、（ｂ）は上面図、（ｃ）は正面図、（ｄ）は左側面図、（ｅ）は右側面図、（ｆ）は背面図、（ｇ）は底面図である。
【００５４】
ウッドキャップ６は、例えば、樹脂成形により形成されている。このウッドキャップ６は、四角の箱形形状に形成され、本体部６０の照明側の面中央部に小判穴６６が形成されている。この小判穴６６は、棚側の取り付け面まで伸びる筒状に形成されている。本体部６０の壁面には、切り欠き６１、６２、６３、６４が設けられている。本体エンド５側の壁面６０ｂの中央部には、本体エンド５の開口部５２に挿入される爪部６５が設けられている。この爪部６５の幅Ｗは、開口部５２の幅より少し大きく形成される。爪部６５は撓んで挿入され、開口部５２内に挿入されると、爪部６５の先端部６５ａが開口部５２の縁と係合し本体エンド５にウッドキャップ６が取り付けられる。
【００５５】
本体エンド５側の壁面６０ｂに設けられた切り欠き６１は、本体エンド５側から導出されるリード線が通される。切り欠き６２はリード線のコネクタを本体エンド５内に収容する際に、リード線が通される。リード線はそれぞれ使用する場所などにより、引き出される切り欠き６３又は６４が選択される。
【００５６】
木棚板にウッドキャップ６を取り付けた照明装置Ｌを取り付ける際には、本体エンド５より引き出したリード線を切り欠き６４又は切り欠き６３から引き出し、その後、小判穴６６に木ねじを通し、木ねじにより木棚板に照明装置Ｌを取り付ける。
【００５７】
次に、この発明の照明装置Ｌの組み立てる手順について図８から図１３を参照して説明する。本体カバー１とベースフレーム２との間の隙間に対応して突出片４１の長さを切断したスペーサ部材４を用意する。前述したように、本体カバー１とベースフレーム２との間のスペースに対応して突出片４１の長さを切断し調整する際に、支持部４１ａに設けられたスケールを参照することで、容易に作業が行える。
【００５８】
本体カバー１とＬＥＤ基板２０を保持したベースフレーム２とを用意し、本体カバー１の棚部１４、１５にベースフレーム２の棚部２３、２４を載せるようにしてスライドさせて本体カバー１内にベースフレーム２を差し込み、本体カバー１内にベースフレーム２が装着される。複数のベースフレーム２を用いる場合には、予めＬＥＤ基板２０同士をそれぞれのコネクタ２７にリード線を接続して連結する。そして、ＬＥＤ基板２から引き出されるリード線は本体カバー１の側面部１３とベースフレーム２との間の空間に引き込まれ、本体カバー１の外部まで案内される。また、ベースフレーム２の溝２５に拡散板３を取り付ける。
【００５９】
続いて、スペーサ部材４の長さを調節した突出片４１の段部４１ｂを本体カバー１の棚部１４、１５に係合するように、本体カバー１の棚部１４、１５上に装着すると、ベースフレーム２の端部に当接してスペーサ部材４が取り付けられ、本体カバー１と一体化する。ＬＥＤ基板２０から引き出されるリード線は本体カバー１の側面部１３とベースフレーム２との間の空間に引き込まれ、突起４７ａ、４７ａで保持され、本体カバー１の外部まで案内される。
【００６０】
本体エンド５のピン５６をスペーサ部材４の穴４６、４６にはめ込み、本体エンド５をスペーサ部材４に仮止めした後、ねじ穴５４、５４にねじ９（図１、図７参照）をねじ込み、本体カバー１に本体エンド５が固定される。本体エンド５の開口部５２にウッドキャップ６の爪部６５が挿入される。開口部５２内に爪部６５が挿入されると、爪部６５の先端部６５ａが開口部５２の縁と係合し本体エンド５にウッドキャップ６が取り付けられる。
【００６１】
このように、棚板の幅に応じて種々用意された本体カバー１に対して、スペーサ部材４の突出部４１の長さを調整することで、図１３に示すように、本体カバー１の端部とベースフレーム２の端部との間のスペースＳにスペーサ部材４が挿入され、種々の棚板に容易に対応することができる。
【００６２】
なお、図１１から図１３に示すものは、ウッドキャップ６を取り付けているが、棚板に直接照明装置Ｌを取り付けずに、ブラケットに照明装置Ｌを取り付ける場合には、ウッドキャップ６は取り付けず、後述するフラットホルダー７等を用いる。
【００６３】
次に、この発明の照明装置Ｌの使用態様につき図２０から図３３を参照して説明する。
【００６４】
図２０は、ウッドキャップ６を取り付けた照明装置Ｌを照明側から見た斜視図である。ウッドキャップ６の本体エンド５側の壁面６０ｂの中央部に設けられた爪部６５を本体エンド５の開口部５２に内に挿入して、爪部６５の先端部６５ａを開口部５２の縁と係合させて本体エンド５にウッドキャップ６が取り付けられる。図２０に示すように、照明装置Ｌの両端にウッドキャップ６が取り付けられている。
【００６５】
図２１ないし図２３にウッドキャップ６とＬＥＤ基板２０から導出されたリード線２０ｂの保持態様例を示す。図２１は、照明装置Ｌの保管時を示す照明装置の端部を照明側から見た平面図である。この図２１に示すように、リード線２０ｂのコネクタが窓部５３から本体カバー１内に収容されている。そして、リード線２０ｂは、ウッドキャップ５の凹所の内部に収容されている。このため、照明装置Ｌを保管する際にリード線２０ｂが他の部材に当接して傷つく虞などがなくなる。
【００６６】
図２２及び図２３は、ウッドキャップ６を用いて木棚板に取り付ける際のリード線２０ｂの取り出し態様を示している。図２２においては、切り欠き６４よりリード線２０ｂを取り出し、照明装置Ｌの長さ方向と平行な方向にリード線２０ｂを取り出している。図２３は、切り欠き６３よりリード線２０ｂを取り出し、照明装置Ｌの長さ方向と直交する方向にリード線２０ｂを取り出している。
【００６７】
図２４及び図２５は、照明装置Ｌの端部の側面図である。これらの図においては、本体カバー１に本体エンド５を取り付けた状態を示し、ウッドキャップ６は取り付けていない。図２４は、リード線とコネクタ２０ｃをそのまま窓部５１から導出している状態を示している。図２５は、コネクタ２０ｃを窓部５３から本体カバー１内に収容した状態を示している。このように、保管時はコネクタ２０ｃを本体カバー１内に収容することで、コネクタ２０ｃの破損を防止することができる。
【００６８】
図２６は、この発明の実施形態にかかる陳列棚の照明装置を木板の棚板６００に取り付けた状態を示す平面図である。照明装置Ｌの両端にウッドキャップ６を取り付ける。そして、本体エンド５より引き出したリード線を切り欠き６４又は切り欠き６３から引き出す。その後、小判穴６６に木ねじ６０１を通し、木ねじ６０１により木板の棚板６００に照明装置Ｌが取り付けられる。
【００６９】
次に、棚板を載せるブラケットの先端部にこの発明の照明装置Ｌを取り付ける態様につき説明する。ブラケットの先端に照明装置Ｌを取り付けるために、照明装置Ｌにフラットホルダー７を取り付ける。
【００７０】
図２８及び図２９に示すように、フラットホルダー７は、ブラケットに挟み込まれるコの字状のフック部７１と、このフック部７１を支持するベース７３と、このベース７３に対して直交する差し込み片７２とからなる。そして、本体カバー１の側面部１１と一対の爪部１１ａ、１１ａとの間にフラットホルダー７の差し込み片７２が挿入され、本体エンド５に当接するようにフラットホルダー７が取り付けられる。そして、必要に応じてフラットホルダー７に設けた穴部７４から本体カバー１にねじによりフラットホルダー７を固定する。
【００７１】
このフラットホルダー７は、両端に取り付けられるフラットホルダー７のベース７３の長さが相違している。例えば、図２８及び図２９に示す例においては、下側に位置するフラットホルダー７は、フック部７１の先端が本体カバー１の側面部１１と対向する側面に到達するように構成されている。一方、上側に位置するフラットホルダー７は、側面１１側からすぐの位置にフック部７１が位置するようにその長さが調整されている。これは、ブラケットの左右に照明装置Ｌを配置する場合にも他方のフラットホルダー７のフック部７１が邪魔にならずに、照明装置Ｌが一直線上に配置できるようにするためである。
【００７２】
図２７は、陳列棚へこの発明の実施形態にかかる照明装置を取り付けた状態を示す斜視図である。
【００７３】
図２７に示すように、適当な間隔をおいて設置された支柱１０１にそれぞれチャンネル鋼材などからなるサポート部材１０２をタップねじ（図示しない）を用いて固定し、このサポート部材１０２に板状のブラケット１１０を係止する。さらにこのブラケット１１０上に、この発明の照明装置Ｌが取り付けられた後、ブラケット１１０上にガラス板などからなる棚板が載せられる。また、サポート部材１０２の間には必要に応じてバックボード１０５が設置される。
【００７４】
ブラケット１１０の後端部には、図示はしないが、上下２段以上のＬ字型の係止フックが形成され、サポート部材１０２はこれら係止フックが抜き差しされる上下多段のスリット１０７と、これらスリット１０７から内部に挿入された係止フックが上下に移動できる縦溝１０８とを備える。そして、前記ブラケット１１０は、サポート部材１０２の前面に形成されたスリット１０７から係止フックを挿入してブラケット１１０を下げるという手順でサポート部材１０２に係止される。
【００７５】
上記のように、サポート部材１０２に係止された左右一対のブラケット１１０、１１０にこの発明の照明装置Ｌを取り付ける。
【００７６】
上記したように、本体カバー１の両端にフラットホルダー７、７を取り付ける。フラットホルダー７のフック部７１をそれぞれブラケット１１０に係止することで、左右のブラケット１１０に照明装置Ｌを取り付けることができる。この照明装置Ｌで下段の棚板上の商品等を照明する陳列棚が得られる。
【００７７】
また、ＬＥＤ基板２０を取り付けたベースフレーム２は、本体カバー１内に配置されており、外部からは薄板状の本体カバー１が棚板の下に位置するだけであり、外観上シンプルで見栄えがよい。
【００７８】
次に、スパンが連続する場合に、この発明の照明装置の取り付ける方法につき、図３０に従い説明する。
【００７９】
図３０は、連続するスパンに棚板を載置する陳列棚へこの発明の実施形態にかかる照明装置を取り付けた状態を示す平面図である。
【００８０】
スパンが連続する場合には、１つのブラケット１１０に左右の照明装置Ｌのフラットホルダー７のフック部７１が取り付けられることになる。この発明では、上述したように、フラットホルダー７は、両端に取り付けられるフラットホルダー７のベース７３の長さが相違している。例えば、図２８及び図２９に示す例においては、下側に位置するフラットホルダー７は、フック部７１の先端が本体カバー１の側面部１１と対向する側面に到達するように構成されている。一方、上側に位置するフラットホルダー７は、側面１１側からすぐの位置にフック部７１が位置するようにその長さが調整されている。１つのブラケット１１０に係止させるフラットホルダー７のフック部７１の位置をずらし、隣り合う本体カバー１が一直線上になるように構成したものである。
【００８１】
このように、ブラケット１１０に２つのフラットホルダー７のフック部７１が重ならないように配置されている。
【００８２】
この結果、本体カバー１に差し込んだフラットホルダー７を用いて、ブラケット１１０に本体カバー１を取り付けると、連続する本体カバー１、１が一直線上に配置されることになり、見栄えが良くなるばかりか、照明される位置のバラツキもなくなる。
【００８３】
次に、ブラケット１１０に照明装置を取り付ける他の例につき、図３１から図３３を参照して説明する。
【００８４】
図３１は、この発明の実施形態にかかる照明装置の本体カバーにスライドホルダーを取り付ける状態を示す斜視図、図３２は、この発明の実施形態にかかる照明装置の本体カバーにスライドホルダーを取り付けた状態を示す斜視図、図３３は、スライドホルダーを用いて照明装置をブラケットに取り付ける状態を示す模式図であり、（ａ）は回転させる状態。（ｂ）は取り付けた状態を示している。
【００８５】
図３１から図３３に示すものは、ブラケット１１０に設けられた孔１１１を用いてオーバーハング状に照明装置１を固定するものである。このため、本体カバー１の側面部１１と一対の爪部１１ａ、１１ａとの間に、スライドホルダー８が装着される。スライドホルダー８は、左右一組で２本のブラケット１１０に装着される。
【００８６】
図３１から図３３に示すように、左右一組のスライドホルダーで１つの照明装置Ｌを取り付ける。
【００８７】
スライドホルダー８は、本体カバー１の側面部１１と一対の爪部１１ａ、１１ａとの間に嵌め込まれるバネ部材で構成された差し込み片８２と、本体カバー１の側面部１１から突出し、孔１１１に挿入する係合部８３を有する突片８１とブラケット１１０に係合する断面コ字状の係止部８５を有している。さらに、差し込み片８２には、ねじ孔８４を有し、このねじ孔８４から本体カバー１にねじが締め付けられる。
【００８８】
図３１及び図３２に示すように、本体カバー１の側面部１１と一対の爪部１１ａ、１１ａとの間にスライドホルダー８の差し込み片８２を嵌め込んで挿入する。同じく、逆からもスライドホルダー８を挿入する。
【００８９】
止める位置をある程度決め、図３２に示すように、ねじ回しを用いて図示しないねじで仮止めをする。
【００９０】
図３１に示すように、ブラケット１１０の孔部１１１にスライドホルダー８の突片８２の係合部を差し込み、図中矢印の方向に前に倒す（（ａ）参照）。そして、ブラケット１１０に係止部８５を嵌め込み照明装置Ｌをブラケット１１０で支持する。そして、壁に対してブラケット１１０が垂直になる位置でスライドホルダー８のねじを最後まで固定して、照明装置Ｌがブラケット１１０に固定される。
【００９１】
このように、スライドホルダー８を用いてもブラケット１１０に照明装置Ｌを取り付けることができるので、陳列棚の用途に応じて、取り付け方法を選択することができる。
【００９２】
次に、この発明の第２の実施形態につき、図３４から図４２に従い説明する。この第２の実施形態は、第１の実施形態が、スペーサ部材４の一対の突出部４１の長さを調整し、本体カバー１の端部とベースフレーム２の端部との間のスペースＳにスペーサ部材４が挿入するように構成されているのに対し、この発明の第２の実施形態のスペーサ部材４ａは、突出部４１が板状に形成されている。
【００９３】
図３４は、この発明の第２の実施形態のスペーサ部材を示す斜視図であり、（ａ）は照明側からの斜視図、（ｂ）は（ａ）の逆方向側からの斜視図である。図３５は、この発明の第２の実施形態のスペーサ部材を示し、（ａ）は上面図、（ｂ）は正面図、（ｃ）は底面図である。図３６は、この発明の第２の実施形態のスペーサ部材を示し、（ａ）は左側面図、（ｂ）は右側面図、（ｃ）は背面図である。
【００９４】
前述したように、スペーサ部材４ａは、本体カバー１の左右にそれぞれ取り付けられるもので、左右のスペーサ部材４ａは、左右対象に形成されている。この第２の実施形態においては、一方のスペーサ部材４ａを図示し、他方のスペーサ部材４ａも左右対象以外は、その構成は同じであるので、図示は省略している。
【００９５】
図３４ないし図３６に示すように、スペーサ部材４ａは、例えば、樹脂成形により形成され、スペーサ部材４の本体部４０の両側部に本体部４０と直交する方向に延在して板状の突出部４１１が形成されている。この第２の実施形態では、突出部４１１は３５ｍｍの長さを有している。左右に一対のスペーサ部材４を本体カバー１に取り付けるので、本体カバー１とベースフレーム２との間のスペースを０から７０ｍｍの範囲で補うことが可能である。
【００９６】
突出部４１１は、中央部に拡散板３を支える支持部４１ａ１と、両側に本体カバー１の棚部１４又は棚部１５の上に載置される段部４１ｂ１とを有する。この段部４１ｂ１は支持部４１ａ１の上面よりベースフレーム２の溝部２５の幅の分だけ上に段差を有して形成されている。支持部４１ａ１の外表面は、スペーサ部材４ａを装着した際、ベースフレーム２の溝２５の外表面と面一になるように形成されている。そして、その色合いもベースフレーム２の外表面と同じにし、スペーサ部材４ａを装着して照明側から見ても違和感がないように構成している。
【００９７】
支持部４１ａ１の支持部４１ｂ１に近接する拡散板３を支持する側の表面には、突出部４１１の長さを示すスケールが設けられている。本体カバー１とベースフレーム２との間の隙間に対応して突出部４１１の長さを切断し調整する際に、このスケールにより容易に切断加工が行える。この第２の実施形態においては、突出部４１１が１つの板状に形成されているので、１度の切断作業で所定の長さに形成することができ、左右の長さの違いも起こらない。また、後述するように、照明側から見ると、拡散板３の上に支持部４１ａ１が配置されることになる。この結果、拡散板３の寸法精度に余裕ができる。即ち、本体カバー１の長さよりも短くても支持部４１ａ１で覆われるので、拡散板３の切断サイズの誤差をある程度吸収することができる。更に、支持部４１ａ１で覆われた部分は、光が透過せず、発光面と非発光面を明確に区別することができる。
【００９８】
本体部４０の照明側の近傍には、第１の実施形態と同様に拡散板３が挿入されるスリット４３が設けられ、中央部には、ウッドキャップ６の爪部が挿入される開口部４２が設けられている。更に、本体部４０には、本体エンド５のピンが挿入される穴部４６、４６が設けられている。また、本体部４０の一方端には、リード線が案内される一対の突出部４７が設けられ、この突出部４７、４７には、対向する突起４７ａ、４７ａが設けられ、この突起４７ａにより、リード線が保持される。
【００９９】
図３７、図４０に示すように、スペーサ部材４ａの両側の段部４１ｂ１を本体カバー１の棚部１４、棚部１５に係合するように、本体カバー１の棚部１４、棚部１５上に装着すると、ベースフレーム２の端部と当接して、スペーサ部材４が取り付けられ、本体カバー１と一体化する。図４１に示すように、拡散板３の上に支持部４１ａ１が配置されることになる。ＬＥＤ基板２０から引き出されるリード線は本体カバー１の側面部１３とベースフレーム２との間の空間に引き込まれ、突起４７ａ、４７ａで保持され、本体カバー１の外部まで案内される。
【０１００】
ベースフレーム２の溝２５、２５間に、拡散板３を挿入し、拡散板３を取り付ける。ＬＥＤ光源からの光は反射面２２で反射され、拡散板３から光が放射される。
【０１０１】
スペーサ部材４ａを取り付けた後、本体エンド５が取り付けられる。本体エンド５は、スペーサ部材４ａを取り付けた本体カバー１の左右にそれぞれ取り付けられる。
【０１０２】
前述したように、本体エンド５は、本体カバー１と対向する面に２つのピン５６、５６が突出して形成されている。ピン５６は、スペーサ部材４ａに設けられた穴４６、４６に対応した位置に形成されている。図４２に示すように、このピン５６をスペーサ部材４の穴４６、４６にはめ込むことにより、本体エンド５がスペーサ部材４に仮止めされる。
【０１０３】
第１の実施形態と同様に、本体エンド５のピン５６をスペーサ部材４の穴４６、４６にはめ込み、本体エンド５をスペーサ部材４に仮止めした後、ねじ穴５４、５４にねじ９をねじ込むことで、本体カバー１に本体エンド５が固定される。
【０１０４】
本体カバー１に本体エンド５を取り付けると、本体カバー１、ベースフレーム２の端面及びスペーサ部材４ａは本体エンド５により覆われる。そして、リード線を引き出す窓部５１、コネクタを収容する窓部５３、ウッドキャップ６を取り付けるための開口部５２が露出した状態となる。
【０１０５】
前述した第１の実施形態と同様に、開口部５２に爪部６５が挿入されると、爪部６５の先端部６５ａが開口部５２の縁と係合し本体エンド５にウッドキャップ６が取り付けられる。
【０１０６】
このように、この第２の実施形態においても第１の実施形態と同様に、棚板の幅に応じて種々用意された本体カバー１に対して、スペーサ部材４ａの突出部４１ａの長さを調整することで、本体カバー１の端部とベースフレーム２の端部との間のスペースにスペーサ部材４ａが挿入され、種々の棚板に容易に対応することができる。
【０１０７】
この第２の実施形態においても、第１の実施形態と同様に、木板の棚板に取り付ける場合には、照明装置Ｌの両端にウッドキャップ６を取り付ける。そして、本体エンド５より引き出したリード線を切り欠き６４又は切り欠き６３から引き出し、小判穴６６に木ねじを通し、木ねじにより木板の棚板に照明装置を取り付ける。
【０１０８】
また、棚板を載せるブラケットの先端部にこの発明の第２の実施形態にかかる照明装置Ｌを取り付ける場合には、前述した第１の実施形態と同様に、照明装置Ｌにフラットホルダー７又はスライドホルダー８を取り付ける。フラットホルダー７又はスライドホルダー８を用いて、ブラケットの先端部に照明装置Ｌを取り付ける。
【０１０９】
次に、この発明の第３の実施形態につき、図４３から図５２に従い説明する。この第３の実施形態は、第１及び第２の実施形態が、スペーサ部材４、４ａの突出片４１、突出部４１１の長さを調整し、本体カバー１の端部とベースフレーム２の端部との間のスペースにスペーサ部材４、４ａが挿入するように構成されているのに対し、この発明の第３の実施形態のスペーサ部材４ｂ、４ｂｎは、厚さが異なる複数の部材で構成している。そして、スペーサ部材４ｂ、４ｂｎをスペースに応じて選択して本体カバー１の端部とベースフレーム２の端部との間の挿入するものである。即ち、ある程度のサイズパターン、例えば、厚さが１ｍｍ、２ｍｍ、５ｍｍ、１０ｍｍのサイズパターンのスペーサ部材４ｂ、４ｂｎを用意しておけば、これらの組み合わせにより、１ｍｍ単位での対応ができる。
【０１１０】
図４３は、この発明の第３の実施形態のベースフレーム側に挿入されるスペーサ部材を示す斜視図であり、（ａ）は照明側からの斜視図、（ｂ）は（ａ）の逆方向側からの斜視図である。図４４は、この発明の第３の実施形態のベースフレーム側に挿入されるスペーサ部材を示し、（ａ）は上面図、（ｂ）は正面図、（ｃ）は底面図である。図４５は、この発明の第３の実施形態の本体エンド側に挿入されるスペーサ部材を示す斜視図であり、（ａ）は照明側からの斜視図、（ｂ）は（ａ）の逆方向側からの斜視図、（ｃ）は本体エンド側から見た斜視図である。図４６は、この発明の第３の実施形態の本体エンド側に挿入されるスペーサ部材を示し、（ａ）は上面図、（ｂ）は正面図、（ｃ）は底面図である。図４７は、この発明の第３の実施形態の本体エンド側に挿入されるスペーサ部材を示し、（ａ）は左側面図、（ｂ）は右側面図である。図４８は、この発明の第３の実施形態のベースフレーム側に挿入されるスペーサ部材と本体エンド側に挿入されるスペーサ部材の取り付け状態を示す斜視図である。図４９は、この発明の第３の実施形態のベースフレーム側に挿入されるスペーサ部材と本体エンド側に挿入されるスペーサ部材の取り付け状態を示す斜視図である。
【０１１１】
スペーサ部材４ｂ、４ｂｎは、本体カバー１の左右にそれぞれ取り付けられるもので、左右のスペーサ部材４ｂ、４ｂｎは、左右対象に形成されている。この第３の実施形態においては、一方のスペーサ部材４ｂ、４ｂｎを図示し、他方のスペーサ部材４ｂ、４ｂｎも左右対象以外は、その構成は同じであるので、図示は省略している。
【０１１２】
図４３、図４４に示すように、ベースフレーム２側に挿入されるスペーサ部材４ｂは、例えば、樹脂成形により形成され、スペーサ部材４ｂの本体部４０の両側部に本体部４０と同じ厚さ段部４１２が形成されている。この第３の実施形態では、本体部４０の上部の照明側の面４０ｔが、ベースフレーム２の溝２５の外表面と面一になるように形成されている。そして、その色合いもベースフレーム２の外表面と同じにし、スペーサ部材４ｂを装着して照明側から見ても違和感がないように構成している。このスペーサ部材４ｂの厚みは、例えば３ｍｍに形成されている。後述するように、本体エンド側に挿入されるスペーサ部材４ｂｎは、その厚さを異ならせたサイズパターンが用意される。これらの組み合わせにより、１ｍｍ単位で本体カバー１とベースフレーム２との間のスペースを補うことが可能である。
【０１１３】
左右の段部４１２の上面は、本体カバー１の棚部１４、１５に当接し、上面４０ｔの幅が本体カバー１の開口部１２に嵌まり込む大きさに形成され、両段部４１２の角が本体カバー１の開口部１２に嵌め込まれ、本体カバー１にスペーサ部材４ｂが取り付けられる。
【０１１４】
スペーサ部材４ｂは、光が透過せず、発光面と非発光面を明確に区別することができる。
【０１１５】
本体部４０の中央部には、ウッドキャップ６の爪部が挿入される開口部４２が設けられている。更に、本体部４０には、本体エンド５のピンが挿入される穴部４６、４６が設けられている。この穴部４６、４６は、本体エンド側にスペーサ部材４ｂｎが嵌め込まれる場合には、スペーサ部材４ｂｎに設けられたピン４６ｐが挿入される。
【０１１６】
また、本体部４０の一方端には、リード線が案内される一対の突出部４７が設けられ、この突出部４７、４７には、対向する突起４７ａ、４７ａが設けられ、この突起４７ａにより、リード線が保持される。
【０１１７】
図４５〜図４７に示すように、本体エンド５とスペーサ部材４ｂとの間に挿入されるスペーサ部材４ｂｎは、例えば、樹脂成形により形成され、スペーサ部材４ｂの本体部４０の両側部に本体部４０と同じ厚さ段部４１２が形成されている。この第３の実施形態では、本体部４０の上部の照明側の面４０ｔが、ベースフレーム２の溝２５の外表面と面一になるように形成されている。そして、その色合いもベースフレーム２の外表面と同じにし、スペーサ部材４ｂｎを装着して照明側から見ても違和感がないように構成している。このスペーサ部材４ｂｎは、その厚さを異ならせた複数のサイズパターンが用意される。例えば、厚さが１ｍｍ、２ｍｍ、５ｍｍ、１０ｍｍのサイズパターンのスペーサ部材４ｂｎが用意される。これらの組み合わせにより、１ｍｍ単位で本体カバー１とベースフレーム２との間のスペースを補うことが可能である。
【０１１８】
左右の段部４１２の上面は、本体カバー１の棚部１４、１５に当接し、上面４０ｔの幅が本体カバー１の開口部に嵌まり込む大きさに形成され、両段部４１２の角が本体カバー１の開口部１２に嵌め込まれ、本体カバー１にスペーサ部材４ｂｎが取り付けられる。
【０１１９】
スペーサ部材４ｂｎは、光が透過せず、発光面と非発光面を明確に区別することができる。
【０１２０】
本体部４０の中央部には、ウッドキャップ６の爪部が挿入される開口部４２が設けられている。更に、本体部４０には、本体エンド５のピン又は本体エンド側に挿入されるスペーサ部材４ｂｎのピン４６ｐが挿入される穴部（凹部）４６、４６が設けられる。本体部４０のこの穴部（凹部）の反対面側には、ピン４６ｐが設けられている。
【０１２１】
また、本体部４０の一方端には、リード線が案内される一対の突出部４７が設けられ、この突出部４７、４７には、対向する突起４７ａ、４７ａが設けられ、この突起４７ａにより、リード線が保持される。
【０１２２】
図４８に示すように、本体カバー１とベースフレーム２との間のスペースに応じて、１つのスペーサ部材４ｂと複数のスペーサ部材４ｂｎが用意され、これらスペーサ部材４ｂと４ｂｎが穴部（凹部）４６とピン４６ｐとが対向するように配置される。図４９に示すように、ベースフレーム側からスペーサ部材４ｂを挿入し、そして、その穴部（凹部）４６にスペーサ部材４ｂｎのピン４６ｐを合わせ、両者を結合してスペースに応じてスペーサ部材４ｂと４ｂｎを挿入する。
【０１２３】
図５０〜図５２、図５９及び図６０に示すように、スペーサ部材４ｂ、４ｂｎの両側の段部４１２を本体カバー１の棚部１４、棚部１５に係合するように、本体カバー１の棚部１４、棚部１５上に装着し、順次スペーサ部材４ｂ、４ｂｎをベースフレーム２側へ送り込む。互いに結合されたスペーサ部材４ｂ、４ｂｎは一体化され、スペーサ部材４ｂがベースフレーム２の端部と当接して、スペーサ部材４ｂ、４ｂｎが取り付けられ、本体カバー１と一体化する。この第３の実施形態においては、拡散板３は、ベースフレーム２の長さと等しく形成され、スペーサ部材４ｂの本体部４０の端面と拡散板２の端面が当接することになる。ＬＥＤ基板２０から引き出されるリード線は本体カバー１の側面部１３とベースフレーム２との間の空間に引き込まれ、突起４７ａ、４７ａで保持され、本体カバー１の外部まで案内される。
【０１２４】
ベースフレーム２の溝２５、２５間に、拡散板３を挿入し、拡散板３を取り付ける。ＬＥＤ光源からの光は反射面２２で反射され、拡散板３から光が放射される。
【０１２５】
スペーサ部材４ｂ、４ｂｎを取り付けた後、本体エンド５が取り付けられる。本体エンド５は、スペーサ部材４ｂ、４ｂｎを取り付けた本体カバー１の左右にそれぞれ取り付けられる。
【０１２６】
前述したように、本体エンド５は、本体カバー１と対向する面に２つのピン５６、５６が突出して形成されている。ピン５６は、スペーサ部材４ｂ、４ｂｎに設けられた穴４６、４６に対応した位置に形成されている。ピン５６をスペーサ部材４ｂ又は４ｂｎの穴４６、４６にはめ込むことにより、本体エンド５がスペーサ部材４に仮止めされる。
【０１２７】
第１の実施形態と同様に、本体エンド５のピン５６をスペーサ部材４ｂ又は４ｂｎの穴４６、４６にはめ込み、本体エンド５をスペーサ部材４ｂ又は４ｂｎに仮止めした後、ねじ穴５４、５４にねじ９をねじ込むことで、本体カバー１に本体エンド５が固定される。
【０１２８】
本体カバー１に本体エンド５を取り付けると、本体カバー１、ベースフレーム２の端面及びスペーサ部材４ｂ又は４ｂｎは本体エンド５により覆われる。そして、リード線を引き出す窓部５１、コネクタを収容する窓部５３、ウッドキャップ６を取り付けるための開口部５２が露出した状態となる。
【０１２９】
前述した第１の実施形態と同様に、開口部５２ないに爪部６５が挿入されると、爪部６５の先端部６５ａが開口部５２の縁と係合し本体エンド５にウッドキャップ６が取り付けられる。
【０１３０】
このように、この第３の実施形態においても第１及び第２の実施形態と同様に、棚板の幅に応じて種々用意された本体カバー１に対して、スペーサ部材４ｂ、４ｂｎを組み合わせ、長さを調整することで、本体カバー１の端部とベースフレーム２の端部との間のスペースにスペーサ部材４ｂ、４ｂｎが挿入され、種々の棚板に容易に対応することができる。
【０１３１】
この第３の実施形態においては、例えば、厚さが１ｍｍ、２ｍｍ、５ｍｍ、１０ｍｍのサイズパターンのスペーサ部材４ｂ、４ｂｎを用意しておけば、カット作業を行うことなく、これらの組み合わせにより、１ｍｍ単位での対応ができる。そして、カット作業をなくすことで、カット寸法のミスをなくすことができる。
【０１３２】
この第３の実施形態においても、第１の実施形態と同様に、木板の棚板に取り付ける場合には、照明装置Ｌの両端にウッドキャップ６を取り付ける。そして、本体エンド５より引き出したリード線を切り欠き６４又は切り欠き６３から引き出し、小判穴６６に木ねじを通し、木ねじにより木板の棚板に照明装置を取り付ける。
【０１３３】
また、棚板を載せるブラケットの先端部にこの発明の第３の実施形態にかかる照明装置Ｌを取り付ける場合には、前述した第１の実施形態と同様に、照明装置Ｌにフラットホルダー７又はスライドホルダー８を取り付ける。フラットホルダー７又はスライドホルダー８を用いて、ブラケットの先端部に照明装置Ｌを取り付ける。
【０１３４】
次に、この発明の第４の実施形態につき、図５３から図５８に従い説明する。この第４の実施形態は、第３の実施形態のスペーサ部材４ｂに代えて、拡散板３の上に配置される鍔部４９を本体部４０に設けたスペーサ部材４２ｃを用いたものである。その他のスペーサ部材４ｂｎは、第３の実施形態と同様のものを用いる。鍔部４９を有するスペーサ部材４ｃと厚さの異なるスペーサ部材４ｂｎを用いて本体カバー１の端部とベースフレーム２の端部との間に挿入する。第３の実施形態と同様に、そして、スペーサ部材４ｃ、４ｂｎをスペースに応じて選択して本体カバー１の端部とベースフレーム２の端部との間の挿入することで、これらの組み合わせにより、１ｍｍ単位での対応ができる。
【０１３５】
図５３は、この発明の第４の実施形態のベースフレーム側に挿入されるスペーサ部材を示す斜視図であり、（ａ）は棚板側からの斜視図、（ｂ）は照明側からの斜視図である。図５４は、この発明の第４の実施形態のベースフレーム側に挿入されるスペーサ部材を示し、（ａ）は上面図、（ｂ）は正面図、（ｃ）は底面図である。
【０１３６】
スペーサ部材４ｃは、本体カバー１の左右にそれぞれ取り付けられるもので、左右のスペーサ部材４ｃは、左右対象に形成されている。この第４の実施形態においては、一方のスペーサ部材４ｃを図示し、他方のスペーサ部材４ｃも左右対象以外は、その構成は同じであるので、図示は省略している。
【０１３７】
図５３、図５４に示すように、ベースフレーム２側に挿入されるスペーサ部材４ｃは、例えば、樹脂成形により形成され、スペーサ部材４ｂの本体部４０の両側部に本体部４０と同じ厚さ段部４１２が形成されている。この第４の実施形態では、本体部４０の上部の照明側の面４０ｔが、ベースフレーム２の溝２５の外表面と面一になるように形成されている。そして、その色合いもベースフレーム２の外表面と同じにし、スペーサ部材４ｃを装着して照明側から見ても違和感がないように構成している。このスペーサ部材４ｃの厚みは、例えば３ｍｍに形成されている。また、本体エンド側に挿入されるスペーサ部材４ｂｎは、第３の実施形態と同様にその厚さを異ならせたサイズパターンが用意される。これらの組み合わせにより、１ｍｍ単位で本体カバー１とベースフレーム２との間のスペースを例えば３ｍｍから７０ｍｍの範囲で補うことが可能である。
【０１３８】
更に、この第４の実施形態のスペーサ部材４ｃは、本体部４０の拡散板３が当接する位置に拡散板３の上に配置される鍔部４９が設けられている。
【０１３９】
左右の段部４１２の上面は、本体カバー１の棚部１４、１５に当接し、上面４０ｔの幅が本体カバー１の開口部に嵌まり込む大きさに形成され、段部４１２の角が本体カバー１の開口部１２に嵌め込まれ、本体カバー１にスペーサ部材４ｃが取り付けられる。
【０１４０】
照明側から見ると、拡散板３の上に鍔部４９が配置されることになる。この結果、拡散板３の寸法精度に余裕ができる。即ち、ベースカバー２の長さよりも短くても鍔部４９で覆われるので、拡散板３の切断サイズの誤差をある程度吸収することができる。
【０１４１】
又、この第４の実施形態のスペーサ部材４ｃも、光が透過せず、発光面と非発光面を明確に区別することができる。
【０１４２】
本体部４０の中央部には、ウッドキャップ６の爪部が挿入される開口部４２が設けられている。更に、本体部４０には、本体エンド５のピンが挿入される穴部４６、４６が設けられている。この穴部４６，４６は、本体エンド側にスペーサ部材４ｂｎが嵌め込まれる場合には、スペーサ部材４ｂｎに設けられたピン４６ｐが挿入される。
【０１４３】
また、本体部４０の一方端には、リード線が案内される一対の突出部４７が設けられ、この突出部４７、４７には、対向する突起４７ａ、４７ａが設けられ、この突起４７ａにより、リード線が保持される。
【０１４４】
図５５、図５６に示すように、本体カバー１とベースフレーム２との間のスペースに応じて、１つのスペーサ部材４ｃと複数のスペーサ部材４ｂｎが用意され、これらスペーサ部材４ｃと４ｂｎが穴部（凹部）４６とピン４６ｐとが対向するように配置される。
【０１４５】
図５７〜図６０に示すように、スペーサ部材４ｃ、４ｂｎの両側の段部４１２を本体カバー１の棚部１４、棚部１５に係合するように、本体カバー１の棚部１４、棚部１５上に装着し、順次スペーサ部材４ｃ、４ｂｎをベースフレーム２側へ送り込む。互いに結合されたスペーサ部材４ｃ、４ｂｎは一体化され、スペーサ部材４ｃがベースフレーム２の端部と当接して、スペーサ部材４ｂ、４ｂｎが取り付けられ、本体カバー１と一体化する。この第４の実施形態においては、照明側から見ると、拡散板３の上に鍔部４９が配置される。ＬＥＤ基板２０から引き出されるリード線は本体カバー１の側面部１３とベースフレーム２との間の空間に引き込まれ、突起４７ａ、４７ａで保持され、本体カバー１の外部まで案内される。
【０１４６】
ベースフレーム２の溝２５、２５間に、拡散板３を挿入し、拡散板３を取り付ける。ＬＥＤ光源からの光は反射面２２で反射され、拡散板３から光が放射される。
【０１４７】
スペーサ部材４ｃ、４ｂｎを取り付けた後、本体エンド５が取り付けられる。本体エンド５は、スペーサ部材４ｃ、４ｂｎを取り付けた本体カバー１の左右にそれぞれ取り付けられる。
【０１４８】
前述したように、本体エンド５は、本体カバー１と対向する面に２つのピン５６、５６が突出して形成されている。ピン５６は、スペーサ部材４ｃ、４ｂｎに設けられた穴４６、４６に対応した位置に形成されている。ピン５６をスペーサ部材４の穴４６、４６にはめ込むことにより、本体エンド５がスペーサ部材４に仮止めされる。
【０１４９】
第１の実施形態と同様に、本体エンド５のピン５６をスペーサ部材４の穴４６、４６にはめ込み、本体エンド５をスペーサ部材４に仮止めした後、ねじ穴５４、５４にねじ９をねじ込むことで、本体カバー１に本体エンド５が固定される。
【０１５０】
本体カバー１に本体エンド５を取り付けると、本体カバー１、ベースフレーム２の端面及びスペーサ部材４は本体エンド５により覆われる。そして、リード線を引き出す窓部５１、コネクタを収容する窓部５３、ウッドキャップ６を取り付けるための開口部５２が露出した状態となる。
【０１５１】
前述した第１の実施形態と同様に、開口部５２ないに爪部６５が挿入されると、爪部６５の先端部６５ａが開口部５２の縁と係合し本体エンド５にウッドキャップ６が取り付けられる。
【０１５２】
このように、この第４の実施形態においても第３の実施形態と同様に、棚板の幅に応じて種々用意された本体カバー１に対して、スペーサ部材４ｃ、４ｂｎを組み合わせ、長さを調整することで、本体カバー１の端部とベースフレーム２の端部との間のスペースにスペーサ部材４ｃ、４ｂｎが挿入され、種々の棚板に容易に対応することができる。
【０１５３】
この第４の実施形態においては、スペーサ部材４ｃと、例えば、厚さが１ｍｍ、２ｍｍ、５ｍｍ、１０ｍｍのサイズパターンのスペーサ部材４ｂｎを用意しておけば、カット作業を行うことなく、これらの組み合わせにより、１ｍｍ単位での対応ができる。そして、カット作業をなくすことで、カット寸法のミスをなくすことができる。
【０１５４】
この第４の実施形態においても、第１の実施形態と同様に、木板の棚板に取り付ける場合には、照明装置Ｌの両端にウッドキャップ６を取り付ける。そして、本体エンド５より引き出したリード線を切り欠き６４又は切り欠き６３から引き出し、小判穴６６に木ねじを通し、木ねじにより木板の棚板に照明装置を取り付ける。
【０１５５】
また、棚板を載せるブラケットの先端部にこの発明の第２の実施形態にかかる照明装置Ｌを取り付ける場合には、前述した第１の実施形態と同様に、照明装置Ｌにフラットホルダー７又はスライドホルダー８を取り付ける。フラットホルダー７又はスライドホルダー８を用いて、ブラケットの先端部に照明装置Ｌを取り付ける。
【０１５６】
次に、この発明の第５の実施形態につき、図６１から図７１に従い説明する。この第５の実施形態は、第１の実施形態が、スペーサ部材４の一対の突出部４１の長さを調整し、本体カバー１の端部とベースフレーム２の端部との間のスペースにスペーサ部材４が挿入するように構成されているのに対し、この発明の第５の実施形態のスペーサ部材４ｄは、本体部４０及び突出片４９ａが板状に形成され、本体部４０の両側に段部４１３が形成されている。そして、この第５の実施形態は、本体部４０、段部４１３及び突出片４９ａに所定の間隔、例えば、５ｍｍ間隔で切り込み溝が設けられ、この切り込み溝の位置で道具を使わずにスペーサ部材４ｄを所望の長さで切断可能に構成している。道具を使わずに手で簡単に切断が出きるので、作業時間が短縮できる。
【０１５７】
図６１は、この発明の第５の実施形態のスペーサ部材を示す斜視図であり、（ａ）は照明側からの斜視図、（ｂ）は（ａ）の逆方向側からの斜視図である。図６２は、この発明の第５の実施形態のスペーサ部材を示し、（ａ）は上面図、（ｂ）は正面図、（ｃ）は底面図である。図６３は、この発明の第５の実施形態のスペーサ部材を示し、（ａ）は左側面図、（ｂ）は右側面図、（ｃ）は背面図である。
【０１５８】
前述したように、スペーサ部材４ｄは、本体カバー１の左右にそれぞれ取り付けられるもので、左右のスペーサ部材４ｄは、左右対象に形成されている。この第２の実施形態においては、一方のスペーサ部材４ｄを図示し、他方のスペーサ部材４ａも左右対象以外は、その構成は同じであるので、図示は省略している。
【０１５９】
図６１ないし図６３に示すように、スペーサ部材４ｄは、例えば、樹脂成形により形成され、スペーサ部材４ｄの板状の本体部４０と板状の突出片４９ａが形成されている。本体部４０の両側に段部４１３が形成されている。この第５の実施形態では、板状の突出片４９ａは３５ｍｍの長さを有している。左右に一対のスペーサ部材４ｄを本体カバー１に取り付けるので、本体カバー１とベースフレーム２との間のスペースを０から７０ｍｍの範囲で補うことが可能である。
【０１６０】
本体部４０の中央部には、板状の突出片４９ａが設けられ、両側に本体カバー１の棚部１４又は棚部１５の上に載置される段部４１３が設けられている。突出片４９ａの外表面は、スペーサ部材４ｄを装着した際、ベースフレーム２の溝２５の外表面と面一になるように形成されている。そして、その色合いもベースフレーム２の外表面と同じにし、スペーサ部材４ｄを装着して照明側から見ても違和感がないように構成している。
【０１６１】
更に、この第５の実施形態のスペーサ部材４ｄは、本体部４０の拡散板３が当接する位置に拡散板３の上に配置される鍔部４９ｄが設けられている。
【０１６２】
左右の段部４１３の上面は、本体カバー１の棚部１４、１５に当接し、上面板部４９ａの幅が本体カバー１の開口部に嵌まり込む大きさに形成され、段部４１３の角が本体カバー１の開口部１２に嵌め込まれ、本体カバー１にスペーサ部材４ｄが取り付けられる。
【０１６３】
照明側から見ると、拡散板３の上に鍔部４９ｄが配置されることになる。この結果、拡散板３の寸法精度に余裕ができる。即ち、ベースカバー２の長さよりも短くても鍔部４９で覆われるので、拡散板３の切断サイズの誤差をある程度吸収することができる。
【０１６４】
本体部４０、突出片４９ａ及び段部４１３の照明側の反対側の面には、所定間隔、例えば、５ｍｍ間隔毎に切断用の切り込み溝４９ｃが設けられ、この切り込み溝４９ｃの位置で道具を使わずにスペーサ部材４ｄを所望の長さで切断可能に構成している。
【０１６５】
本体カバー１とベースフレーム２との間の隙間に対応して本体部４０、突出片４９ａ及び段部４１３の長さを切断し調整する際に、この切り込み溝４９ｃにより、手で折り曲げることにより容易に切断加工が行える。この第５の実施形態においては、本体部４０、突出片４９ａ及び段部４１３が１つの板状に形成されているので、１度の切断作業で所定の長さに形成することができ、左右の長さの近いも起こらない。また、後述するように、照明側から見ると、拡散板３の上に鍔部４９ｄが配置されることになる。この結果、拡散板３の寸法精度に余裕ができる。即ち、ベースフレーム２の長さよりも短くても鍔部４９ｄで覆われるので、拡散板３の切断サイズの誤差をある程度吸収することができる。更に、板部４９ａ、鍔部４９ｄで覆われた部分は、光が透過せず、発光面と非発光面を明確に区別することができる。
【０１６６】
本体部４０の本体ケース１側の近傍には、ウッドキャップ６の爪部が挿入される開口部４２が設けられている。更に、本体部４０には、本体エンド５のピンが挿入される穴部４６、４６が設けられている。また、本体部４０の一方端には、リード線が案内される一対の突出部４７が設けられ、この突出部４７、４７には、対向する突起４７ａ、４７ａが設けられ、この突起４７ａにより、リード線が保持される。
【０１６７】
図６４〜図６８に示すように、所定の長さの切り込み溝４９ｃで切断したスペーサ部材４ｄの両側の段部４１を本体カバー１の棚部１４、棚部１５に係合するように、本体カバー１の棚部１４、棚部１５上に装着すると、ベースフレーム２の端部と当接して、スペーサ部材４が取り付けられ、本体カバー１と一体化する。図６８、図６９に示すように、拡散板３の上に鍔部４９ｄが配置されることになる。ＬＥＤ基板２０から引き出されるリード線は本体カバー１の側面部１３とベースフレーム２との間の空間に引き込まれ、突起４７ａ、４７ａで保持され、本体カバー１の外部まで案内される。
【０１６８】
予めベースフレーム２の溝２５、２５間に、拡散板３が挿入され、拡散板３を取り付けられている。ＬＥＤ光源からの光は反射面２２で反射され、拡散板３から光が放射される。
【０１６９】
スペーサ部材４ｄを取り付けた後、本体エンド５が取り付けられる。本体エンド５は、スペーサ部材４ｄを取り付けた本体カバー１の左右にそれぞれ取り付けられる。
【０１７０】
前述したように、本体エンド５は、本体カバー１と対向する面に２つのピン５６、５６が突出して形成されている。ピン５６は、スペーサ部材４ｄに設けられた穴４６、４６に対応した位置に形成されている。図７０に示すように、スペーサ部材４ｄの穴４６、４６にピン５６をはめ込むことにより、本体エンド５がスペーサ部材４に仮止めされる。
【０１７１】
第１の実施形態と同様に、本体エンド５のピン５６をスペーサ部材４の穴４６、４６にはめ込み、本体エンド５をスペーサ部材４に仮止めした後、ねじ穴５４、５４にねじ９をねじ込むことで、本体カバー１に本体エンド５が固定される。
【０１７２】
本体カバー１に本体エンド５を取り付けると、本体カバー１、ベースフレーム２の端面及びスペーサ部材４は本体エンド５により覆われる。そして、リード線を引き出す窓部５１、コネクタを収容する窓部５３、ウッドキャップ６を取り付けるための開口部５２が露出した状態となる。
【０１７３】
前述した第１の実施形態と同様に、開口部５２内に爪部６５が挿入されると、爪部６５の先端部６５ａが開口部５２の縁と係合し本体エンド５にウッドキャップ６が取り付けられる。
【０１７４】
このように、この第５の実施形態においても第１の実施形態と同様に、棚板の幅に応じて種々用意された本体カバー１に対して、スペーサ部材４ａの突出部４１ａの長さを調整することで、本体カバー１の端部とベースフレーム２の端部との間のスペースにスペーサ部材４ａが挿入され、種々の棚板に容易に対応することができる。
【０１７５】
この第５の実施形態においても、第１の実施形態と同様に、木板の棚板に取り付ける場合には、照明装置Ｌの両端にウッドキャップ６を取り付ける。そして、本体エンド５より引き出したリード線を切り欠き６４又は切り欠き６３から引き出し、小判穴６６に木ねじを通し、木ねじにより木板の棚板に照明装置を取り付ける。
【０１７６】
また、棚板を載せるブラケットの先端部にこの発明の第２の実施形態にかかる照明装置Ｌを取り付ける場合には、前述した第１の実施形態と同様に、照明装置Ｌにフラットホルダー７又はスライドホルダー８を取り付ける。フラットホルダー７又はスライドホルダー８を用いて、ブラケットの先端部に照明装置Ｌを取り付ける。
【０１７７】
次に、この発明の第６の実施形態につき、図７２から図７９に従い説明する。この第６の実施形態は、第５の実施形態が、スペーサ部材４ｄを本体カバー１の側面からの棚部１４、１５に沿って挿入するのに対し、側面及び上面のいずれからも装着できるように構成したものである。また、この発明の第６の実施形態のスペーサ部材４ｅは、第５の実施形態と同様に、本体部４０及び突出片４９ａが板状に形成されている。そして、この第６の実施形態は、本体部４０、突出片４９ａと後述する脚部に所定の間隔、例えば、５ｍｍ間隔で切り込み溝が設けられ、この切り込み溝の位置で道具を使わずにスペーサ部材４ｅを所望の長さで切断可能に構成している。道具を使わずに手で簡単に切断が出きるので、作業時間が短縮できる。
【０１７８】
図７２は、この発明の第６の実施形態のスペーサ部材を示す斜視図であり、（ａ）は棚側からの斜視図、（ｂ）は照明側からの斜視図である。図７３は、この発明の第６の実施形態のスペーサ部材を示し、（ａ）は上面図、（ｂ）は正面図、（ｃ）は底面図である。図７４は、この発明の第６の実施形態のスペーサ部材を示し、（ａ）は左側面図、（ｂ）は右側面図、（ｃ）は背面図である。
【０１７９】
前述したように、スペーサ部材４ｅは、本体カバー１の左右にそれぞれ取り付けられるもので、左右のスペーサ部材４ｅは、左右対象に形成されている。この第６の実施形態においては、一方のスペーサ部材４ｅを図示し、他方のスペーサ部材４ｅも左右対象以外は、その構成は同じであるので、図示は省略している。
【０１８０】
図７２ないし図７４に示すように、スペーサ部材４ｅは、例えば、樹脂成形により形成され、スペーサ部材４ｅの本体部４０と突出片４９ａが板状に形成されている。この第６の実施形態では、本体部４０は３５ｍｍの長さを有している。左右に一対のスペーサ部材４ｅを本体カバー１に取り付けるので、本体カバー１とベースフレーム２との間のスペースを０から７０ｍｍの範囲で補うことが可能である。
【０１８１】
本体部４０から直交する方向に左右に脚部４８ａ、４８ｂが設けられ、脚部４８ａ、４８ｂは、本体カバー１の平板部１０と当接する長さに形成されている。又、脚部４６ａは、壁部１６に当接し、スペーサ部材４ｅを本体カバー１に装着する際の位置決めとして機能する。
【０１８２】
この脚部４８ａ、４８ｂの外側には本体カバー１の棚部１４又は棚部１５の上にそれぞれ挿入される脚部４８ｄ、４８ｅがそれぞれ設けられている。この脚部４８ｄ、４８ｅには、棚部１４、１５にそれぞれ係合する凸部４８ｆが設けられている。
【０１８３】
このスペーサ部材４ｅを本体カバー１の開口部１２の上部から挿入する際には、脚部４８ｄ、４８ｅが撓んで開口部１２内に嵌め込まれ、各凸部４８ｆが棚部１４又は棚部１５の下に係合してスペーサ部材４ｅが取り付けられる。
【０１８４】
本体部４０及び突出片４９ａの外表面は、スペーサ部材４ｅを装着した際、ベースフレーム２の溝２５の外表面と面一になるように形成されている。そして、その色合いもベースフレーム２の外表面と同じにし、スペーサ部材４ｅを装着して照明側から見ても違和感がないように構成している。
【０１８５】
本体部４０、突出片４９ａ、脚部４８ａ、４８ｂ、４８ｄ、４８ｅの照明側の反対側の面には、所定間隔、例えば、５ｍｍ間隔毎に切断用の切り込み溝４９ｃが設けられ、この切り込み溝４９ｃの位置で道具を使わずにスペーサ部材４ｄを所望の長さで切断可能に構成している。
【０１８６】
更に、この第６の実施形態のスペーサ部材４ｅは、本体部４０の拡散板３が当接する位置に拡散板３の上に配置される鍔部４９ｄが設けられている。
【０１８７】
本体カバー１とベースフレーム２との間の隙間に対応して板状部４１ａ等の長さを切断し調整する際に、この切り込み溝４９ｃにより、手で折り曲げることにより容易に切断加工が行える。この第６の実施形態においては、本体部４０及び突出片４９ａが１つの板状に形成されているので、１度の切断作業で所定の長さに形成することができ、左右の長さの近いも起こらない。また、後述するように、照明側から見ると、拡散板３の上に鍔部４９ｄが配置されることになる。この結果、拡散板３の寸法精度に余裕ができる。即ち、ベースフレーム２の長さよりも短くても鍔部４９ｄで覆われるので、拡散板３の切断サイズの誤差をある程度吸収することができる。更に、板部４９ａ、鍔部４９ｄで覆われた部分は、光が透過せず、発光面と非発光面を明確に区別することができる。
【０１８８】
そして、このスペーサ部材４ｅは、本体カバー１の側面からの棚部１４、１５に沿って挿入する以外に上面からも装着できるように構成している。このように、第６の実施形態においては、側面又は上面のいずれからもスペーサ部材４ｅを装着することができるので、作業性が向上する。
【０１８９】
脚部４８ａ、４８ｂ間の本体部４０の下方部には、ウッドキャップ６の爪部が挿入される開口部４２が設けられている。更に、脚部４８ｂには、本体エンド５のピンが挿入される窪み４８ｃが設けられている。
【０１９０】
図７５〜図７９に示すように、所定の長さの切り込み溝４９ｃで切断したスペーサ部材４ｅの両側の脚部４８ｄ、４８ｅを本体カバー１の棚部１４、棚部１５に係合するように、本体カバー１の開口部１２の上から或いは棚部１４、棚部１５上に沿って移動させて装着すると、ベースフレーム２の端部と当接して、スペーサ部材４が取り付けられ、本体カバー１と一体化する。図７６、図７７に示すように、拡散板３の上に鍔部４９ｄが配置されることになる。
【０１９１】
予めベースフレーム２の溝２５、２５間に、拡散板３が挿入され、拡散板３を取り付けられている。ＬＥＤ光源からの光は反射面２２で反射され、拡散板３から光が放射される。
【０１９２】
スペーサ部材４ｅを取り付けた後、本体エンド５が取り付けられる。本体エンド５は、スペーサ部材４ｄを取り付けた本体カバー１の左右にそれぞれ取り付けられる。
【０１９３】
前述したように、本体エンド５は、本体カバー１と対向する面に２つのピン５６、５６が突出して形成されている。ピン５６は、スペーサ部材４ｅに設けられた窪み４８ｃで案内され、本体エンド５がスペーサ部材４ｅに仮止めされる。
【０１９４】
本体エンド５をスペーサ部材４に仮止めした後、ねじ穴５４、５４にねじ９をねじ込むことで、本体カバー１に本体エンド５が固定される。
【０１９５】
本体カバー１に本体エンド５を取り付けると、本体カバー１、ベースフレーム２の端面及びスペーサ部材４ｅは本体エンド５により覆われる。そして、リード線を引き出す窓部５１、コネクタを収容する窓部５３、ウッドキャップ６を取り付けるための開口部５２が露出した状態となる。
【０１９６】
前述した第１の実施形態と同様に、開口部５２内に爪部６５が挿入されると、爪部６５の先端部６５ａが開口部５２の縁と係合し本体エンド５にウッドキャップ６が取り付けられる。
【０１９７】
このように、この第６の実施形態においても第１の実施形態と同様に、棚板の幅に応じて種々用意された本体カバー１に対して、スペーサ部材４ｅの本体部及び突出片４１ａの長さを調整することで、本体カバー１の端部とベースフレーム２の端部との間のスペースにスペーサ部材４ｅが挿入され、種々の棚板に容易に対応することができる。
【０１９８】
この第６の実施形態においても、第１の実施形態と同様に、木板の棚板に取り付ける場合には、照明装置Ｌの両端にウッドキャップ６を取り付ける。そして、本体エンド５より引き出したリード線を切り欠き６４又は切り欠き６３から引き出し、小判穴６６に木ねじを通し、木ねじにより木板の棚板に照明装置を取り付ける。
【０１９９】
また、棚板を載せるブラケットの先端部にこの発明の第６の実施形態にかかる照明装置Ｌを取り付ける場合には、前述した第１の実施形態と同様に、照明装置Ｌにフラットホルダー７又はスライドホルダー８を取り付ける。フラットホルダー７又はスライドホルダー８を用いて、ブラケットの先端部に照明装置Ｌを取り付ける。
【０２００】
上記した第１から第６の実施形態においては、スペーサ部材を本体カバー１の左右にそれぞれ取り付けている。これに対して、この第７の実施形態は、左右に集中していた発光しない部分を中間部分にスペーサ部材を分割して取り付け、発光しない部分を分散させ、見栄えを良くしたものである。
【０２０１】
第７の実施形態を図８０〜図８４に従い説明する。図８０は、この発明の第７の実施形態のスペーサ部材を示す斜視図であり、（ａ）は照明側からの斜視図、（ｂ）は本体ケース側からの斜視図である。図８１は、この発明の第７の実施形態のスペーサ部材を示し、（ａ）は上面図、（ｂ）は正面図、（ｃ）は底面図である。
【０２０２】
図８０〜図８１に示すように、このスペーサ部材４ｆは、断面形状がベースフレーム２と同様の形状に形成され、ベースフレーム２間にスペーサ部材４ｆを挿入して、あたかもベースフレーム２が延長されたように拡散板３の下に配置されることになる。スペーサ部材４ｆは、例えば、１ｍｍ、３ｍｍ、５ｍｍ、１０ｍｍとサイズに異なるものを用意し、本体ケース１とベースフレーム２との間隔に応じて適宜選択して、中間部分に分散して装着する。
【０２０３】
スペーサ部材４ｆは、例えば、樹脂成形等により形成され、反射面４２２が設けられる。この反射面４２２は本体カバー１の開口部１２に対応し、開口部１２より一回りほど小さな開口部が形成される。スペーサ部材４ｆは、光の反射を効率よく行うために、白色に着色されている。また、反射面４２２には、光の反射をよりよくするために、反射シートを接着してもよい。
【０２０４】
スペーサ部材４ｆの反射面４２２の背面側の一部は前記本体カバー１の平板部１０に当接するように平板上に形成され、開口部１２方向に向かってアーチ状に形成されている。反射面４２２の背面には、本体カバー１の平板部１０及び壁部１６に当接し、スペーサ部材４ｆの位置決めを行う突出部４２１が設けられている。そして、スペーサ部材４ｆには、本体カバー１の棚部１４上に載置される棚部４２３、本体カバー１の棚部１５上に載置される棚部４２４が形成されている。
【０２０５】
スペーサ部材４ｆの開口部には、拡散板３を挿入するための溝４２５、４２５が形成されている。
【０２０６】
図８２〜図８４に示すように、本体カバー１とベースフレーム２とによるスペースに応じてスペーサ部材４ｆを用意する。本体ケース１にベースフレーム２を挿入し、その後にスペーサ部材４ｆを挿入し、ベースフレーム２間にスペーサ部材４ｆを挿入する。そして、拡散板３をベースフレーム２の溝２５及びスペーサ部材４ｆの溝４２５に挿入して、照明装置Ｌが構成される。
【０２０７】
この第７の実施形態においても、第１の実施形態と同様に、木板の棚板に取り付ける場合には、照明装置Ｌの両端にウッドキャップ６を取り付ける。そして、本体エンド５より引き出したリード線を切り欠き６４又は切り欠き６３から引き出し、小判穴６６に木ねじを通し、木ねじにより木板の棚板に照明装置を取り付ける。
【０２０８】
また、棚板を載せるブラケットの先端部にこの発明の第７の実施形態にかかる照明装置Ｌを取り付ける場合には、前述した第１の実施形態と同様に、照明装置Ｌにフラットホルダー７又はスライドホルダー８を取り付ける。フラットホルダー７又はスライドホルダー８を用いて、ブラケットの先端部に照明装置Ｌを取り付ける。
【０２０９】
上記した第７の実施形態は、拡散板３の下にスペーサ部材を配置している。これに対して第８の実施形態は、拡散板３はそれぞれベースフレーム２の長さに対応し、ベースフレーム２間を上からスペース部材を挿入したものである。
【０２１０】
第８の実施形態を図８５〜図９１に従い説明する。図８５は、この発明の第７の実施形態のスペーサ部材を示す斜視図であり、（ａ）は照明側からの斜視図、（ｂ）は本体ケース側からの斜視図である。図８６は、この発明の第７の実施形態のスペーサ部材を示し、（ａ）は上面図、（ｂ）は正面図、（ｃ）は底面図である。
【０２１１】
図８５〜図８６に示すように、このスペーサ部材４ｇは、本体カバー１の開口部１２の上部から装着されるものである。スペーサ部材４ｇは、例えば、樹脂成形により形成され、スペーサ部材４ｇは板状部４９ｇが形成されている。この第８の実施形態では、例えば、１ｍｍ、３ｍｍ、５ｍｍ、１０ｍｍとサイズに異なるものを用意し、本体ケース１とベースフレーム２との間隔に応じて適宜選択して、中間部分に分散して装着する。
【０２１２】
板状部４９ｇには本体カバー１の棚部１４又は棚部１５に上からそれぞれ挿入される脚部４８ｄ、４８ｅがそれぞれ設けられている。この脚部４８ｄ、４８ｅには、棚部１４，１５にそれぞれ係合する凸部４８ｆが設けられている。
【０２１３】
このスペーサ部材４ｅを本体カバー１の開口部１２の上部から挿入する際には、脚部４８ｄ、４８ｅが撓んで開口部１２内に嵌め込まれ、各凸部４８ｆが棚部の下に係合してスペーサ部材４ｇが取り付けられる。
【０２１４】
板状部４９ｇの外表面は、スペーサ部材４ｇを装着した際、ベースフレーム２の溝２５の外表面と面一になるように形成されている。そして、その色合いもベースフレーム２の外表面と同じにし、スペーサ部材４ｅを装着して照明側から見ても違和感がないように構成している。
【０２１５】
図８８〜図９１に示すように、本体カバー１とベースフレーム２とによるスペースに応じてスペーサ部材４ｇを用意する。本体ケース１にベースフレーム２を挿入し、その後にスペーサ部材４ｇを挿入し、ベースフレーム２間にスペーサ部材４ｇを挿入する。そして、拡散板３をベースフレーム２の溝２５及びスペーサ部材４ｇの溝４２５に挿入して、照明装置Ｌが構成される。
【０２１６】
図８９に示すように、ベースフレーム２の反射面２２が装着する順序で交互になるように、本体ケース１に取り付けても良い。このように取り付けると、棚の前方と後方にそれぞれ光が交互に案内され、ディスプレイに多様性を持たせることができる。
【０２１７】
この第８の実施形態においても、第１の実施形態と同様に、木板の棚板に取り付ける場合には、照明装置Ｌの両端にウッドキャップ６を取り付ける。そして、本体エンド５より引き出したリード線を切り欠き６４又は切り欠き６３から引き出し、小判穴６６に木ねじを通し、木ねじにより木板の棚板に照明装置を取り付ける。
【０２１８】
また、棚板を載せるブラケットの先端部にこの発明の第８の実施形態にかかる照明装置Ｌを取り付ける場合には、前述した第１の実施形態と同様に、照明装置Ｌにフラットホルダー７又はスライドホルダー８を取り付ける。フラットホルダー７又はスライドホルダー８を用いて、ブラケットの先端部に照明装置Ｌを取り付ける。
【０２１９】
今回開示された実施の形態はすべての点で例示であって制限的なものではないと考えられるべきである。この発明の範囲は、上記した実施の形態の説明ではなくて特許請求の範囲によって示され、特許請求の範囲と均等の意味および範囲内でのすべての変更が含まれることが意図される。
【符号の説明】
【０２２０】
Ｌ  照明装置
１  本体カバー
１０  平板部
１１、１３  側面部
１１ａ  爪部
１２  開口部
１４、１５  棚部
１６  壁部
２  ベースフレーム
２０  ＬＥＤ基板
２１  テーパー面
２２  反射面
２３、２４  棚部
２５  溝
３  拡散板
４、４ａ、４ｂ、４ｃ、４ｄ，４ｅ、４ｆ、４ｇ  スペーサ部材
４０  本体部
４１  突出片
４１ａ  支持部
４１ｂ  段部
５  本体エンド
６  ウッドキャップ
７  フラットホルダー
８  スライドホルダー
【図１】
2014180500.tif 000003
【図２】
2014180500.tif 000004
【図３】
2014180500.tif 000005
【図４】
2014180500.tif 000006
【図５】
2014180500.tif 000007
【図６】
2014180500.tif 000008
【図７】
2014180500.tif 000009
【図８】
2014180500.tif 000010
【図９】
2014180500.tif 000011
【図１０】
2014180500.tif 000012
【図１１】
2014180500.tif 000013
【図１２】
2014180500.tif 000014
【図１３】
2014180500.tif 000015
【図１４】
2014180500.tif 000016
【図１５】
2014180500.tif 000017
【図１６】
2014180500.tif 000018
【図１７】
2014180500.tif 000019
【図１８】
2014180500.tif 000020
【図１９】
2014180500.tif 000021
【図２０】
2014180500.tif 000022
【図２１】
2014180500.tif 000023
【図２２】
2014180500.tif 000024
【図２３】
2014180500.tif 000025
【図２４】
2014180500.tif 000026
【図２５】
2014180500.tif 000027
【図２６】
2014180500.tif 000028
【図２７】
2014180500.tif 000029
【図２８】
2014180500.tif 000030
【図２９】
2014180500.tif 000031
【図３０】
2014180500.tif 000032
【図３１】
2014180500.tif 000033
【図３２】
2014180500.tif 000034
【図３３】
2014180500.tif 000035
【図３４】
2014180500.tif 000036
【図３５】
2014180500.tif 000037
【図３６】
2014180500.tif 000038
【図３７】
2014180500.tif 000039
【図３８】
2014180500.tif 000040
【図３９】
2014180500.tif 000041
【図４０】
2014180500.tif 000042
【図４１】
2014180500.tif 000043
【図４２】
2014180500.tif 000044
【図４３】
2014180500.tif 000045
【図４４】
2014180500.tif 000046
【図４５】
2014180500.tif 000047
【図４６】
2014180500.tif 000048
【図４７】
2014180500.tif 000049
【図４８】
2014180500.tif 000050
【図４９】
2014180500.tif 000051
【図５０】
2014180500.tif 000052
【図５１】
2014180500.tif 000053
【図５２】
2014180500.tif 000054
【図５３】
2014180500.tif 000055
【図５４】
2014180500.tif 000056
【図５５】
2014180500.tif 000057
【図５６】
2014180500.tif 000058
【図５７】
2014180500.tif 000059
【図５８】
2014180500.tif 000060
【図５９】
2014180500.tif 000061
【図６０】
2014180500.tif 000062
【図６１】
2014180500.tif 000063
【図６２】
2014180500.tif 000064
【図６３】
2014180500.tif 000065
【図６４】
2014180500.tif 000066
【図６５】
2014180500.tif 000067
【図６６】
2014180500.tif 000068
【図６７】
2014180500.tif 000069
【図６８】
2014180500.tif 000070
【図６９】
2014180500.tif 000071
【図７０】
2014180500.tif 000072
【図７１】
2014180500.tif 000073
【図７２】
2014180500.tif 000074
【図７３】
2014180500.tif 000075
【図７４】
2014180500.tif 000076
【図７５】
2014180500.tif 000077
【図７６】
2014180500.tif 000078
【図７７】
2014180500.tif 000079
【図７８】
2014180500.tif 000080
【図７９】
2014180500.tif 000081
【図８０】
2014180500.tif 000082
【図８１】
2014180500.tif 000083
【図８２】
2014180500.tif 000084
【図８３】
2014180500.tif 000085
【図８４】
2014180500.tif 000086
【図８５】
2014180500.tif 000087
【図８６】
2014180500.tif 000088
【図８７】
2014180500.tif 000089
【図８８】
2014180500.tif 000090
【図８９】
2014180500.tif 000091
【図９０】
2014180500.tif 000092
【図９１】
2014180500.tif 000093